(57)【要約】  リレーシグナルの早期復号化を促す方法、装置、コンピュータプログラム製品が開示されている。サブフレーム内のシグナルをネットワークからリレーが受信する。第一および第二のリファレンスシンボルがサブフレーム内で検出される。その際には、第一リファレンスシンボルが第二リファレンスシンボルよりも先に検出される。そして、第一リファレンスシンボルに基づいてシグナルが復号化される。【選択図】図１３
2013520136.tif 000002
【特許請求の範囲】
【請求項１】
リレーシグナルの早期処理を促す方法であって、
リレーに関連付けられているサブフレーム内のシグナルを受信することと、
前記サブフレーム内の第一リファレンスシンボルおよび第二リファレンスシンボルを検出することと、前記第一リファレンスシンボルが前記第二リファレンスシンボルの前に検出され、
前記第一リファレンスシンボルに基づいて前記シグナルを復号化することと、
を有する前記方法。
【請求項２】
前記第一リファレンスシンボルおよび前記第二リファレンスシンボルは、復調リファレンスシグナルに関連付けられている請求項１の前記方法。
【請求項３】
前記サブフレームは、周波数分割多重および時分割多重を含むハイブリッドサブフレームである請求項１の前記方法。
【請求項４】
前記サブフレームは、純粋な周波数分割多重サブフレームである請求項１の前記方法。
【請求項５】
前記シグナルは、リレー物理ダウンリンク制御チャネルに含まれる請求項４の前記方法。
【請求項６】
前記シグナルは、異なるリレーにそれぞれ対応している複数個のシグナルに含まれ、前記リレー物理ダウンリンク制御チャネルに前記複数個のシグナルが含まれる請求項５の前記方法。
【請求項７】
前記シグナルは、リレー物理ダウンリンク共用チャネルに含まれる請求項４の前記方法。
【請求項８】
前記シグナルは、異なるリレーにそれぞれ対応している複数個のシグナルに含まれ、リレー物理ダウンリンク共用チャネルに前記複数個のシグナルが含まれる請求項７の前記方法。
【請求項９】
前記シグナルは、リソースブロックの第一部分に含まれ、前記第一部分の後で受信される前記リソースブロックの第二部分に前記シグナルが繰り返される請求項４の前記方法。
【請求項１０】
前記復号化することは、前記リソースブロックの前記第一部分による前記シグナルの復号化を試みることを有し、さらに、前記復号化することは、前記第一部分による前記シグナルの復号化が失敗した場合、前記リソースブロックの前記第二部分による前記シグナルの復号化を引き続き実行することを有する、請求項９の前記方法。
【請求項１１】
複数台のリレーにそれぞれ対応している複数個のシグナルは、リソースブロックに含まれ、前記シグナルは前記複数個のシグナルに含まれる請求項４の前記方法。
【請求項１２】
前記複数個のシグナルは、前記リソースブロックの第一部分に含まれ、前記第一部分の後で受信される前記リソースブロックの第二部分で前記複数個のシグナルが繰り返される請求項１１の前記方法。
【請求項１３】
前記シグナルは、前記リソースブロックの第一部分に片寄って位置し、前記複数個のシグナルの残りは、前記第一部分の後で受信される前記リソースブロックの第二部分に片寄って位置する請求項１１の前記方法。
【請求項１４】
前記シグナルは、前記リソースブロックの第一部分に含まれ、別のリレーに関連付けられる別のシグナルは、前記第一部分の後で受信される前記リソースブロックの第二部分に含まれる請求項１１の前記方法。
【請求項１５】
前記復号化することは、さらに、前記シグナルに関連付けられている固有パラメータを特定することを含み、前記固有パラメータは、電力レベル、リソースレベル、集約レベルの少なくとも一つである請求項１の前記方法。
【請求項１６】
前記復号化することは、さらに、前記サブフレーム内の異なるスロットにそれぞれ関連付けられている異なるプリコーディングベクトルを区別することを含む請求項１の前記方法。
【請求項１７】
前記復号化することは、さらに、前記シグナルに関連付けられているデータトーンに適用される電力の上昇を特定することを含み、前記第一レファレンスシンボルおよび前記第二レファレンスシンボルは電力の上昇から除外される請求項１の前記方法。
【請求項１８】
リレー物理ハイブリッド自動再送要求インジケータチャネルは、リレー物理ダウンリンク制御チャネル専用のリソースブロックで受信する請求項１の前記方法。
【請求項１９】
前記復号化することは、さらに、前記リレー物理ハイブリッド自動再送要求インジケータチャネルに関連付けられるリソースを一式のアップリンク許可または一式のダウンリンク許可の少なくとも一方が含まれる前記サブフレームの一部分に独占的にマッピングすることを有する請求項１８の前記方法。
【請求項２０】
前記シグナルには一式のアップリンク許可および一式のダウンリンク許可が含まれていて、前記一式のダウンリンク許可はリソースブロックの第一部分に含まれ、前記一式のアップリンク許可は前記第一部分の後で受信される前記リソースブロックの第二部分に含まれる請求項４の前記方法。
【請求項２１】
リレーシグナルの早期処理を促すように構成されている装置であって、
前記装置は、メモリに格納されているコンピュータ実行可能なコンポーネントを実行するように構成されているプロセッサを有し、
前記コンポーネントは、
リレーに関連付けられているサブフレーム内のシグナルを受信するように構成された通信コンポーネントと、
サブフレーム内の第一リファレンスシンボルおよび第二リファレンスシンボルを検出するように構成され、前記第一リファレンスシンボルが前記第二リファレンスシンボルの前に検出されるリファレンスコンポーネントと、
前記第一リファレンスシンボルに基づいて前記シグナルを復号化するように構成された復号化コンポーネントと、を含む。
【請求項２２】
前記第一リファレンスシンボルおよび前記第二リファレンスシンボルは、復調リファレンスシグナルに関連付けられる請求項２１の前記装置。
【請求項２３】
前記サブフレームは、周波数分割多重および時分割多重を含むハイブリッドサブフレームである請求項２１の前記装置。
【請求項２４】
前記サブフレームは、純粋な周波数分割多重サブフレームである請求項２１の前記装置。
【請求項２５】
前記シグナルは、リレー物理ダウンリンク制御チャネルに含まれる請求項２４の前記装置。
【請求項２６】
前記シグナルは、異なるリレーにそれぞれ対応している複数個のシグナルに含まれ、前記リレー物理ダウンリンク制御チャネルに前記複数個のシグナルが含まれる請求項２５の前記装置。
【請求項２７】
前記シグナルは、リレー物理ダウンリンク共用チャネルに含まれる請求項２４の前記方法。
【請求項２８】
前記シグナルは、異なるリレーにそれぞれ対応している複数個のシグナルに含まれ、リレー物理ダウンリンク共用チャネルに前記複数個のシグナルが含まれる請求項２７の前記装置。
【請求項２９】
前記シグナルは、リソースブロックの第一部分に含まれ、前記第一部分の後で受信される前記リソースブロックの第二部分に前記シグナルが繰り返される請求項２４の前記装置。
【請求項３０】
前記復号化コンポーネントは、前記リソースブロックの前記第一部分による前記シグナルの復号化を試みるように構成され、さらに、前記復号化コンポーネントは、前記第一部分による前記シグナルの復号化が失敗した場合に、前記リソースブロックの前記第二部分による前記シグナルの復号化を引き続き実行するように構成される請求項２９の前記装置。
【請求項３１】
複数台のリレーにそれぞれ対応している複数個のシグナルは、リソースブロックに含まれ、前記シグナルが前記複数個のシグナルに含まれる請求項２４の前記装置。
【請求項３２】
前記複数個のシグナルは前記リソースブロックの第一部分に含まれ、前記第一部分の後で受信される前記リソースブロックの第二部分で前記複数個のシグナルが繰り返される請求項３１の前記装置。
【請求項３３】
前記シグナルは前記リソースブロックの第一部分に片寄って位置し、前記複数個のシグナルの残りは前記第一部分の後で受信される前記リソースブロックの第二部分に片寄って位置する請求項３１の前記装置。
【請求項３４】
前記シグナルは前記リソースブロックの第一部分に含まれ、別のリレーに関連付けられている別のシグナルは前記第一部分の後で受信される前記リソースブロックの第二部分に含まれる請求項３１の前記装置。
【請求項３５】
前記復号化コンポーネントは、前記シグナルに関連付けられる固有パラメータを特定するように構成され、前記固有パラメータは、電力レベル、リソースレベル、集約レベルの少なくとも一つである請求項２１の前記装置。
【請求項３６】
前記復号化コンポーネントは、前記サブフレーム内の異なるスロットにそれぞれ関連付けられる異なるプリコーディングベクトルを区別するように構成される請求項２１の前記装置。
【請求項３７】
前記復号化コンポーネントは、前記シグナルに関連付けられるデータトーンに適用される電力の上昇を特定するように構成され、前記第一レファレンスシンボルおよび前記第二レファレンスシンボルが電力の上昇から除外される請求項２１の前記装置。
【請求項３８】
リレー物理ハイブリッド自動再送要求インジケータチャネルは、リレー物理ダウンリンク制御チャネル専用のリソースブロックで受信するように構成される請求項２１の前記装置。
【請求項３９】
前記復号化コンポーネントは、前記リレー物理ハイブリッド自動再送要求インジケータチャネルに関連付けられるリソースを一式のアップリンク許可または一式のダウンリンク許可の少なくとも一方が含まれる前記サブフレームの一部分に独占的にマッピングするように構成される請求項３８の前記装置。
【請求項４０】
前記シグナルには一式のアップリンク許可および一式のダウンリンク許可が含まれていて、前記一式のダウンリンク許可はリソースブロックの第一部分に含まれ、前記一式のアップリンク許可は前記第一部分の後で受信される前記リソースブロックの第二部分に含まれる請求項２４の前記装置。
【請求項４１】
リレーシグナルの早期復号化を促進させるコンピュータプログラム製品であって、
リレーに関連付けられるサブフレーム内のシグナルを受信することと、
前記サブフレーム内の第一リファレンスシンボルおよび第二リファレンスシンボルを検出することと、ここで前記第一リファレンスシンボルが前記第二リファレンスシンボルの前に検出され、
前記第一リファレンスシンボルに基づいて前記シグナルを復号化することと、
を少なくとも一台のコンピュータに行わせるコードを有するコンピュータ可読記憶媒体を具備する。
【請求項４２】
前記サブフレームは、純粋な周波数分割多重サブフレームである請求項４１の前記コンピュータプログラム製品。
【請求項４３】
前記シグナルには一式のアップリンク許可および一式のダウンリンク許可が含まれていて、前記一式のダウンリンク許可はリソースブロックの第一部分に含まれ、前記一式のアップリンク許可は前記第一部分の後で受信される前記リソースブロックの第二部分に含まれる請求項４２の前記コンピュータプログラム製品。
【請求項４４】
リレーシグナルの早期処理を促すように構成される装置であって、
リレーに関連付けられているサブフレーム内のシグナルを受信する手段と、
前記サブフレーム内の第一リファレンスシンボルおよび第二リファレンスシンボルを検出するものであって、前記第一リファレンスシンボルを前記第二リファレンスシンボルの前に検出する手段と、
前記第一リファレンスシンボルに基づいて前記シグナルを復号化する手段と、
を有する前記装置。
【請求項４５】
前記復号化する手段は、前記シグナルに関連付けられている固有パラメータを特定するように構成され、前記固有パラメータは、電力レベル、リソースレベル、集約レベルの少なくとも一つである請求項４４の前記装置。
【請求項４６】
前記復号化する手段は、前記サブフレーム内の異なるスロットにそれぞれ関連付けられる異なるプリコーディングベクトルを区別するように構成される請求項４４の前記装置。
【請求項４７】
リレーシグナルの早期処理促進化方法であって、
リレーに関連付けられているシグナルをサブフレーム内に生成することと、
第一リファレンスシンボルおよび第二リファレンスシンボルを前記サブフレーム内に供給し、その際に第一リファレンスシンボルは第二リファレンスシンボルの前に供給することと、
前記第一リファレンスシンボルに基づいて復号化可能である前記シグナルを前記リレーに伝送することと、
を有する前記方法。
【請求項４８】
前記第一リファレンスシンボルおよび前記第二リファレンスシンボルは、復調リファレンスシグナルに関連付けられる請求項４７の前記方法。
【請求項４９】
前記サブフレームは、周波数分割多重および時分割多重を含むハイブリッドサブフレームである請求項４７の前記方法。
【請求項５０】
前記サブフレームは、純粋な周波数分割多重サブフレームである請求項４７の前記方法。
【請求項５１】
前記伝送することは、リレー物理ダウンリンク制御チャネルに前記シグナルを含めることを有する請求項５０の前記方法。
【請求項５２】
前記シグナルは、異なるリレーにそれぞれ対応している複数個のシグナルに含まれ、前記リレー物理ダウンリンク制御チャネルに前記複数個のシグナルが含まれる請求項５１の前記方法。
【請求項５３】
前記伝送することは、リレー物理ダウンリンク共用チャネルに前記シグナルを含めることを有する請求項５０の前記方法。
【請求項５４】
前記シグナルは、異なるリレーにそれぞれ対応している複数個のシグナルに含まれ、リレー物理ダウンリンク共用チャネルに前記複数個のシグナルが含まれる請求項５３の前記方法。
【請求項５５】
前記生成することは、リソースブロックの第一部分に前記シグナルを含めることを有し、さらに、前記生成することは、前記第一部分の後で送信される前記リソースブロックの第二部分で前記シグナルを繰り返すことを有する請求項５０の前記方法。
【請求項５６】
前記生成することは、複数台のリレーにそれぞれ対応している複数個のシグナルをリソースブロックに含めることを有し、前記シグナルが前記複数個のシグナルに含まれる請求項５０の前記方法。
【請求項５７】
前記生成することは、前記複数個のシグナルを前記リソースブロックの第一部分に含めることを有し、さらに、前記生成することは、前記第一部分の後で送信される前記リソースブロックの第二部分で前記複数個のシグナルを繰り返すことを有する請求項５６の前記方法。
【請求項５８】
前記生成することは、前記リソースブロックの第一部分に前記シグナルを片寄らせることを有し、前記複数個のシグナルの残りは、前記第一部分の後で送信される前記リソースブロックの第二部分に片寄って位置する請求項５６の前記方法。
【請求項５９】
前記生成することは、前記リソースブロックの第一部分に前記シグナルを含めることを有し、別のリレーに関連付けられている別のシグナルは、前記第一部分の後で送信される前記リソースブロックの第二部分に含まれる請求項５６の前記方法。
【請求項６０】
前記生成することは、固有パラメータを前記シグナルに関連付けることを有し、前記固有パラメータは、電力レベル、リソースレベル、集約レベルの少なくとも一つである請求項４７の前記方法。
【請求項６１】
前記生成することは、前記サブフレーム内の異なるスロットにそれぞれ関連付けられる異なるプリコーディングベクトルを使用することを有する請求項４７の前記方法。
【請求項６２】
前記伝送することは、前記シグナルに関連付けられるデータトーンに電力の上昇を適用することを有し、さらに、前記伝送することは、前記第一レファレンスシンボルおよび前記第二レファレンスシンボルを電力の上昇から除外することを有する請求項４７の前記方法。
【請求項６３】
前記生成することは、リレー物理ダウンリンク制御チャネル専用のリソースブロックにリレー物理ハイブリッド自動再送要求インジケータチャネルを含めることを有する請求項４７の前記方法。
【請求項６４】
前記生成することは、前記リレー物理ハイブリッド自動再送要求インジケータチャネルに関連付けられるリソースを一式のアップリンク許可または一式のダウンリンク許可の少なくとも一方が含まれる前記サブフレームの一部分のみにマッピングすることを有する請求項６３の前記方法。
【請求項６５】
前記シグナルに一式のアップリンク許可および一式のダウンリンク許可が含まれていて、前記生成することは、前記一式のダウンリンク許可をリソースブロックの第一部分に含めることを有し、前記一式のアップリンク許可は前記第一部分の後で送信される前記リソースブロックの第二部分に含まれる請求項５０の前記方法。
【請求項６６】
リレーシグナルの早期処理を促すように構成されている装置において、
前記装置は、メモリに格納されるコンピュータ実行可能なコンポーネントを実行するように構成されるプロセッサを有し、
前記コンポーネントは、
シグナルをサブフレーム内に生成するように構成され、前記シグナルがリレーに関連付けられる生成コンポーネントと、
第一リファレンスシンボルおよび第二リファレンスシンボルをサブフレーム内に供給するように構成され、第一リファレンスシンボルが第二リファレンスシンボルの前に供給されるリファレンスコンポーネントと、
前記シグナルを前記リレーに送信するように構成され、前記シグナルが第一リファレンスシンボルに基づいて復号化することが可能である通信コンポーネントと、を含む。
【請求項６７】
前記第一リファレンスシンボルおよび前記第二リファレンスシンボルは、復調リファレンスシグナルに関連付けられる請求項６６の前記装置。
【請求項６８】
前記サブフレームは、周波数分割多重および時分割多重を含むハイブリッドサブフレームである請求項６６の前記装置。
【請求項６９】
前記サブフレームは、純粋な周波数分割多重サブフレームである請求項６６の前記装置。
【請求項７０】
前記通信コンポーネントは、リレー物理ダウンリンク制御チャネルに前記シグナルを含めるように構成される請求項６９の前記装置。
【請求項７１】
前記シグナルは、異なるリレーにそれぞれ対応している複数個のシグナルに含まれ、前記リレー物理ダウンリンク制御チャネルは前記複数個のシグナルを含む請求項７０の前記装置。
【請求項７２】
前記通信コンポーネントはリレー物理ダウンリンク共用チャネルに前記シグナルを含めるように構成される請求項６９の前記方法。
【請求項７３】
前記シグナルは異なるリレーにそれぞれ対応している複数個のシグナルに含まれ、リレー物理ダウンリンク共用チャネルは前記複数個のシグナルを含む請求項２７の前記装置。
【請求項７４】
前記生成コンポーネントは、リソースブロックの第一部分に前記シグナルを含めるように構成され、さらに、前記生成コンポーネントは、前記第一部分の後で送信される前記リソースブロックの第二部分で前記シグナルを繰り返すように構成される請求項６９の前記装置。
【請求項７５】
前記生成コンポーネントは、複数台のリレーにそれぞれ対応している複数個のシグナルをリソースブロックに含めるように構成され、前記シグナルは前記複数個のシグナルに含まれる請求項６９の前記装置。
【請求項７６】
前記生成コンポーネントは、前記リソースブロックの第一部分に前記複数個のシグナルを含めるように構成され、さらに、前記生成コンポーネントは、前記第一部分の後で送信される前記リソースブロックの第二部分で前記複数個のシグナルを繰り返すように構成される請求項７５の前記装置。
【請求項７７】
前記生成コンポーネントは、前記リソースブロックの第一部分に前記シグナルを片寄らせるように構成され、前記複数個のシグナルの残りは、前記第一部分の後で送信される前記リソースブロックの第二部分に片寄って位置する請求項７５の前記装置。
【請求項７８】
前記生成コンポーネントは、前記リソースブロックの第一部分に前記シグナルを含めるように構成され、別のリレーに関連付けられる別のシグナルは、前記第一部分の後で送信される前記リソースブロックの第二部分に含まれる請求項７５の前記装置。
【請求項７９】
前記生成コンポーネントは、固有パラメータを前記シグナルに関連付けるように構成され、前記固有パラメータは、電力レベル、リソースレベル、集約レベルの少なくとも一つである請求項６６の前記装置。
【請求項８０】
前記生成コンポーネントは、前記サブフレーム内の異なるスロットにそれぞれ関連付けられる異なるプリコーディングベクトルを使用するように構成される請求項６６の前記装置。
【請求項８１】
前記通信コンポーネントは、前記シグナルに関連付けられているデータトーンに電力の上昇を適用するように構成され、さらに、前記通信コンポーネントは、前記第一レファレンスシンボルおよび前記第二レファレンスシンボルを電力の上昇から除外するように構成される請求項６６の前記装置。
【請求項８２】
前記生成コンポーネントは、リレー物理ダウンリンク制御チャネル専用のリソースブロックにリレー物理ハイブリッド自動再送要求インジケータチャネルを含めるように構成される請求項６６の前記装置。
【請求項８３】
前記生成コンポーネントは、前記リレー物理ハイブリッド自動再送要求インジケータチャネルに関連付けられるリソースを一式のアップリンク許可または一式のダウンリンク許可の少なくとも一方が含まれる前記サブフレームの一部分のみにマッピングするように構成される請求項８２の前記装置。
【請求項８４】
前記シグナルには一式のアップリンク許可および一式のダウンリンク許可が含まれていて、前記生成コンポーネントは、前記一式のダウンリンク許可をリソースブロックの第一部分に含めるように構成され、前記第一部分の後で送信される前記リソースブロックの第二部分には前記一式のアップリンク許可が含まれる請求項６９の前記装置。
【請求項８５】
リレーシグナルの早期処理を促進させるコンピュータプログラム製品において、
リレーに関連付けられているシグナルをサブフレーム内に生成することと、
第一リファレンスシンボルおよび第二リファレンスシンボルをサブフレーム内に供給すし、前記第一リファレンスシンボルが前記第二リファレンスシンボルの前に供給されるようにすることと、
前記シグナルを前記リレーに送信し、前記シグナルが前記第一リファレンスシンボルに基づいて復号化可能であることと、
を少なくとも一台のコンピュータに行わせるコードを有するコンピュータ可読記憶媒体を具備する。
【請求項８６】
前記サブフレームは、純粋な周波数分割多重サブフレームである請求項８５の前記コンピュータプログラム製品。
【請求項８７】
前記シグナルには一式のアップリンク許可および一式のダウンリンク許可が含まれていて、前記一式のダウンリンク許可はリソースブロックの第一部分に含まれ、前記一式のアップリンク許可は、前記第一部分の後で送信される前記リソースブロックの第二部分に含まれる請求項８６の前記コンピュータプログラム製品。
【請求項８８】
リレーシグナルの早期処理を促すように構成されている装置において、
リレーに関連付けられるシグナルをサブフレーム内に生成する手段と、
第一リファレンスシンボルおよび第二リファレンスシンボルをサブフレーム内に供給し、前記第一リファレンスシンボルが前記第二リファレンスシンボルの前に供給されるようにする手段と、
前記シグナルを前記リレーに送信し、前記シグナルが前記第一リファレンスシンボルに基づいて復号化可能である手段と、
を備えている前記装置。
【請求項８９】
前記生成する手段は、固有パラメータを前記シグナルに関連付けるように構成されていて、前記固有パラメータは、電力レベル、リソースレベル、集約レベルの少なくとも一つである請求項８８の前記装置。
【請求項９０】
前記生成する手段は、前記サブフレーム内の異なるスロットにそれぞれ関連付けられる異なるプリコーディングベクトルを使用するように構成される請求項８８の前記装置。
【発明の詳細な説明】
【技術分野】
【０００１】
関連出願への相互参照
本願は、２０１０年２月１６日に出願した「リレーバックホールリンクの制御チャネル用早期復号化技術（EARLY DECODING TECHNIQUES FOR CONTROL CHANNELS OF RELAY BACKHAUL LINKS）」と言う名称の米国仮特許出願通し番号６１／３０５，０９３および２０１０年３月１０日に出願した「リレーバックホールリンクの制御チャネル用早期復号化技術（EARLY DECODING TECHNIQUES FOR CONTROL CHANNELS OF RELAY BACKHAUL LINKS）」と言う名称の米国仮特許出願通し番号６１／３１２，５９５および２０１０年４月９日に出願した「リレーバックホールリンクの制御チャネル用早期復号化技術（EARLY DECODING TECHNIQUES FOR CONTROL CHANNELS OF RELAY BACKHAUL LINKS）」と言う名称の米国仮特許出願通し番号６１／３２２，７８５の利益を主張する。前述のどの米国仮特許出願もこの言及により全体的にここに明確に含まれる。
【０００２】
以下の記載は、一般に無線通信に関し、特に、リレーシグナル（relay signals）の早期復号化を促す方法および装置に関する。
【背景技術】
【０００３】
無線通信システムは、音声、データ、その他のような様々な種類の通信内容を提供するために広く展開されている。このようなシステムは、利用可能なシステムリソース（例えば、帯域幅、送信パワー（transmit power））を共有することによって多数のユーザとの通信をサポートすることのできる多元接続システム（multiple-access systems）で構わない。このような多元接続システムの例には、符号分割多元接続（ＣＤＭＡ：code division multiple access）システム、時分割多元接続（ＴＤＭＡ：time division multiple access）システム、周波数多重分割（ＦＤＭＡ：frequency division multiple access）システム、３ＧＰＰ長期的高度化（ＬＴＥ：Long Term Evolution）システム、直交周波数分割多元接続（ＯＦＤＭＡ：orthogonal frequency division multiple access）システムが含まれる。
【０００４】
一般に、無線多元接続通信システムは多数の無線端末の通信を同時にサポートすることができる。個々の端末は、順方向および逆方向の両リンク（forward and reverse links）での伝送により一台以上の基地局と互いに通信をする。順方向リンク（またはダウンリンク（downlink））は基地局から端末に向かう通信リンクを言い、逆方向リンク（またはアップリンク（uplink））は端末から基地局に向かう通信リンクを言う。この通信リンクは、シングル入力シングル出力、マルチ入力シングル出力、マルチ入力マルチ出力（ＭＩＭＯ：multiple-in-multiple-out）のいずれかのシステムにより確立することができる。
【０００５】
ＭＩＭＯシステムは、複数（ＮＴ）本の送信アンテナと複数（ＮＲ）本の受信アンテナとをデータ伝送に用いる。ＮＴ本の送信アンテナとＮＲ本の受信アンテナとにより形成されるＭＩＭＯチャネルはＮＳ本の独立チャネルに分解することができ、これらの独立チャネルは空間チャネル（spatial channels）とも呼ばれ、ＮＳ≦min｛ＮＴ，ＮＲ｝である。ＮＳ本の独立チャネルの各々は次元（dimension）に対応している。ＭＩＭＯシステムは、複数の送信および受信用のアンテナによりもたらされる付加的な次元数（additional dimensionalities）が利用されれば改善されたパフォーマンス（例えば、より高いスループットおよびより高い信頼性の両者または一方）を提供することができる。
【０００６】
ＭＩＭＯシステムは、時分割複信（ＴＤＤ：time division duplex）システムや周波数分割複信（ＦＤＤ：frequency division duplex）システムをサポートしている。ＴＤＤシステムでは、順方向および逆方向の両リンク伝送は同じ周波数領域であるから往復原理（reciprocity principle）により逆方向リンクチャネルから順方向リンクチャネルを推定することができる。このことによりアクセスポイントは、複数のアンテナがアクセスポイントで利用可能である場合には伝送ビームフォーミング利得を順方向リンクで得ることができる。
【０００７】
リレーノード（relay node）でのシグナルの復号化に関しては特定のサブフレームやその一部を受信したらできるだけ早く復号化を実行することが望ましい。したがって、リレーシグナルの早期復号化を促す方法および装置が望まれる。
【０００８】
ここに述べた早期復号化の利点は、この態様がシステム設計に適切に組み込まれていない場合に従来のシステムが直面すると思われる幾つかの問題について展望を示すことが意図されているに過ぎないのであって、利点がこれらに尽きることなど意図されていない。従来のシステムが直面しているその他の問題や課題およびこれから記載する種々様々ではあるが一部に過ぎない諸実施例の対応する利点は以下の記述により明らかになる。
【発明の概要】
【０００９】
一種類以上の実施例の基本的な理解が得られるように諸実施例の概要を以下に述べる。以下に示す概要は、考えることのできる全ての実施例に関する広範な概観でもなければ、全実施例の鍵となる重要な要素を特定するものでもなく、全ての実施例またはいずれかの実施例の範囲を叙述するものでもない。この概要の唯一の目的は、後に提示する詳細な説明の序幕として一種類以上の実施例の観念を簡単な形態で提供することである。
【００１０】
一種類以上の実施例およびそれら実施例に関する開示にしたがって様々な態様をリレーシグナルの早期復号化との関連で説明する。ある態様では、リレーシグナルの早期処理を促す方法およびコンピュータプログラム製品が開示されている。これらの実施例にはサブフレーム内のシグナルを受信することが含まれている。これらの実施例では、受信したシグナルはリレーに関連付けられている。これらの実施例には、サブフレーム内の第一リファレンスシンボルおよび第二リファレンスシンボルを検出することが含まれている。ここで、第一リファレンスシンボルが第二リファレンスシンボルの前に検出される。シグナルの復号化は第一リファレンスシンボルに基づいて行われる。
【００１１】
別の態様では、リレーシグナルの早期処理を促すように構成されている装置が開示されている。そのような実施例では、メモリに格納されているコンピュータ実行可能コンポーネントを実行するように構成されているプロセッサを装置が有している。コンピュータ実行可能コンポーネントには通信コンポーネント、リファレンスコンポーネント、復号化コンポーネントが含まれている。通信コンポーネントはサブフレーム内のシグナルを受信するように構成されていて、リファレンスコンポーネントはサブフレーム内の第一リファレンスシンボルおよび第二リファレンスシンボルを検出するように構成されている。この実施例では、シグナルはリレーに関連付けられていて、第一リファレンスシンボルは第二リファレンスシンボルの前に検出される。復号化コンポーネントは、第一リファレンスシンボルに基づいてシグナルを復号化するように構成されている。
【００１２】
もう一つの態様では、もう一つの装置が開示されている。そのような実施例では装置は受信手段、検出手段、復号化手段を備えている。この実施例では、受信手段はサブフレーム内のシグナルを受信するように構成されていて、検出手段はサブフレーム内の第一リファレンスシンボルおよび第二リファレンスシンボルを検出するように構成されている。この実施例では、シグナルはリレーに関連付けられていて、第一リファレンスシンボルは第二リファレンスシンボルの前に検出される。復号化手段は、第一リファレンスシンボルに基づいてシグナルを復号化するように構成されている。
【００１３】
もう一つの態様では、リレーシグナルの早期処理をするための方法およびコンピュータプログラム製品が開示されている。これらの実施例には、リレーに関連付けられているシグナルをサブフレーム内に生成することが含まれている。第一リファレンスシンボルおよび第二リファレンスシンボルがサブフレーム内に提供される。このとき、第一リファレンスシンボルが第二リファレンスシンボルの前に提供される。これらの実施例には、シグナルをリレーに伝送することがさらに含まれているが、シグナルは第一リファレンスシンボルに基づいて復号化可能である。
【００１４】
リレーシグナルの早期処理用装置も開示されている。そのような実施例では、メモリに格納されているコンピュータ実行可能コンポーネントを実行するように構成されているプロセッサを装置が有している。コンピュータ実行可能コンポーネントには、生成コンポーネント、リファレンスコンポーネント、通信コンポーネントが含まれている。生成コンポーネントはサブフレーム内にシグナルを生成するように構成されていて、リファレンスコンポーネントはサブフレーム内に第一リファレンスシンボルおよび第二リファレンスシンボルを提供するように構成されている。この実施例では、シグナルはリレーに関連付けられていて、第一リファレンスシンボルは第二リファレンスシンボルの前に提供される。さらに、通信コンポーネントはシグナルをリレーに伝送するように構成されていて、シグナルは第一リファレンスシンボルに基づいて復号化することが可能である。
【００１５】
さらに別の態様では、別の装置が開示されている。そのような実施例では装置は、生成手段、提供手段、伝送手段を備えている。この実施例では、生成手段はサブフレーム内にシグナルを生成するように構成されていて、提供手段はサブフレーム内に第一リファレンスシンボルおよび第二リファレンスシンボルを提供するように構成されている。この実施例では、シグナルはリレーに関連付けられていて、第一リファレンスシンボルは第二リファレンスシンボルの前に提供される。さらに、伝送手段はシグナルをリレーに伝送するように構成されていて、シグナルは第一リファレンスシンボルに基づいて復号化することが可能である。
【００１６】
以上に述べた目的や関連した目的を達成するためにどの実施例も以下に詳述されていて特許請求の範囲に特に指摘されている諸要件を具備している。以下の記述や添付図面には一種類以上の実施例の特定の例示的諸態様が詳しく示されているが、これらの諸態様は種々様々な実施例の原理を採用する色々な方法の幾つかを示しているに過ぎず、以下に記述するどの実施例もそのような全ての態様とその均等物を含むことが意図されている。
【図面の簡単な説明】
【００１７】
【図１】図１は、ここに記載する様々な態様と一致している無線通信システムの例である。
【図２】図２は、ここに述べる様々なシステムや方法と一緒に採用することのできる典型的な無線ネットワーク環境の例である。
【図３】図３は、この開示のある態様にしたがっている純粋な周波数分割多重（ＦＤＭ：Pure Frequency Division Multiplexing）の典型的な設計を示すサブフレームの例である。
【図４】図４は、この開示のある態様にしたがっている典型的なハイブリッドＦＤＭ＋時分割多重（ＴＤＭ）設計（Hybrid FDM + Time Division Multiplexing (TDM) design）を示すサブフレームの例である。
【図５】図５は、この開示のある態様にしたがっている典型的な復調リファレンスシグナル（ＤＭ−ＲＳ：Demodulation Reference Signal）パターンの例である。
【図６】図６は、この開示のある態様にしたがって純粋なＦＤＭのセットアップにおける早期復号化を可能にする第一の典型的なインターリーブ構造の例である。
【図７】図７は、この開示のある態様にしたがって純粋なＦＤＭのセットアップにおける早期復号化を可能にする第二の典型的なインターリーブ構造の例である。
【図８】図８は、この開示のある態様にしたがって純粋なＦＤＭのセットアップにおける早期復号化を可能にする第三の典型的なインターリーブ構造の例である。
【図９】図９は、この開示のある態様にしたがって純粋なＦＤＭのセットアップにおける早期復号化を可能にする第四の典型的なインターリーブ構造の例である。
【図１０】図１０は、この開示のある態様にしたがって純粋なＦＤＭのセットアップにおける早期復号化を可能にする第五の典型的なインターリーブ構造の例である。
【図１１】図１１は、この開示のある態様にしたがってリレーシグナルの早期復号化を促す典型的なリレーユニットのブロック図の例である。
【図１２】図１２は、リレーシグナルの早期復号化を実現する電気コンポーネントの典型的な連結例である。
【図１３】図１３は、この明細書の一態様にしたがってリレーシグナルの早期復号化を促す典型的な方法の流れ図の例である。
【図１４】図１４は、この明細書の一態様にしたがってリレーシグナルの早期復号化を促す典型的なネットワークエンティティ（network entity）のブロック図の例である。
【図１５】図１５は、リレーシグナルの早期復号化を実現する電気コンポーネントの典型的な連結例である。
【図１６】図１６は、この明細書の一態様にしたがってリレーシグナルの早期復号化を促す典型的な方法の流れ図の例である。
【図１７】図１７は、セルが複数個ある様々な態様にしたがって実施した典型的な通信システムの例である。
【図１８】図１８は、ここに記載した様々な態様にしたがっている典型的な基地局の例である。
【図１９】図１９は、ここに記載した様々な態様にしたがって実施した典型的な無線端末の例である。
【発明を実施するための形態】
【００１８】
ここで、様々な実施例は類似した要素を示すために類似した参照符号が全体に亘って用いられている図面を参照して説明される。一種類以上の実施例を完全に理解することができるように以下には説明の目的で特定の詳細が数多く記載されている。しかし、このような詳細がなくても実施例を実施することができることは明らかである。また別の場合には、一種類以上の実施例の記述を容易にするために公知の構造や装置がブロック図の形式で示されている。
【００１９】
この明細書の主題は、一般にリレーバックホールのための早期復号化技術に向けられている。そのような早期復号化を促すための実施例が、リレーノードおよびネットワークの両者において、開示されている。
【００２０】
ここに提示する特定の態様では、特定のリレー（例えば、タイプＩ）のためのリレー物理ダウンリンク制御チャネル（Ｒ−ＰＤＣＣＨ）バックホール制御チャネル（Relay Physical Downlink Control Channel (R-PDCCH) backhaul control channel）についてのセル個別リファレンスシグナル（ＣＲＳ：cell-dedicated reference signal）に基づく復調と復調リファレンスシグナル（ＤＭ−ＲＳ：demodulation reference signal）に基づく復調とを比較した議論を提示する。ある用途では、ここに記載するように、純粋な周波数分割多重（ＦＤＭ）による設計の方がハイブリッドＦＤＭプラス時分割多重（ＴＤＭ）による解決よりも好ましいかも知れない。例えば、制御とデータとを多重化する必要がないので、データなしで制御を送信しなければならないアップリンクの大量通信のような場合にリソースの浪費を避けることができる。また、物理ダウンリンク共用チャネル（ＰＤＳＣＨ：Physical Downlink Shared Channel）用に承認されているＤＭ−ＲＳパターンをＲ−ＰＤＣＣＨやリレー物理ダウンリンク共用チャネル（Ｒ−ＰＤＳＣＨ：Relay Physical Downlink Shared Channel）に再使用することができる。ハイブリッドＦＤＭ＋ＴＤＭ設計では（早期復号化が目標である場合には）第一スロット内のリファレンスシンボルの数が限られているのでパターンの再使用は性能の低下を齎す虞がある。ＤＭ−ＲＳではなくてＣＲＳを用いることは、ドナーｅＮＢ（ＤｅＮＢ：Donor eNB）の制御領域におけるＣＲＳシンボルの損失により、特にアンテナポート２および３に関しては使用可能なリファレンスシンボルが少なくなり、挑戦的なものとなる。さらに、Ｒ−ＰＤＣＣＨがシングルリソースブロック（ＲＢ：Resource Block）で伝送されるとしてもパワーオーバーヘッド（power overhead）は許容可能である。
【００２１】
ここに記載するどの技術も様々な無線通信システムに用いることができる。ここに記載する技術を用いることのできる無線通信システムには、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数分割多元接続（ＳＣ−ＦＤＭＡ：single carrier-frequency division multiple access）、高速パケットアクセス（ＨＳＰＡ：High Speed Packet Access）、その他のシステムがある。用語「システム」と「ネットワーク」は往々にして区別なく用いられている。ＣＤＭＡシステムでは、ユニバーサル地上無線アクセス（ＵＴＲＡ：Universal Terrestrial Radio Access）、ＣＤＭＡ２０００、その他のような無線技術を実施することができる。ＵＴＲＡには、広帯域符号分割多元接続（Ｗ−ＣＤＭＡ：Wideband-CDMA）やＣＤＭＡの他の変種が含まれる。ＣＤＭＡ２０００には、ＩＳ−２０００、ＩＳ−９５、ＩＳ−８５６の諸規格が網羅されている。ＴＤＭＡシステムでは、移動体通信のためのグローバルシステム（ＧＳＭ（登録商標）：Global System for Mobile Communications）のような無線技術を実現することができる。ＯＦＤＭＡシステムでは、進化したＵＴＲＡ（Ｅ−ＵＴＲＡ：Evolved UTRA）、超広帯域モバイル（ＵＭＢ：Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（登録商標）（Flash-OFDM（登録商標））、その他のような無線技術を実現することができる。ＵＴＲＡおよびＥ−ＵＴＲＡは、ユニバーサルモバイル通信システム（ＵＭＴＳ：Universal Mobile Telecommunication System）の一部である。３ＧＰＰ長期的高度化（ＬＴＥ）は、ダウンリンクにＯＦＤＭＡを採用し、アップリンクにＳＣ−ＦＤＭＡを採用しているＥ−ＵＴＲＡを用いたＵＭＴＳの公開である。
【００２２】
単一搬送波周波数分割多元接続（ＳＣ−ＦＤＭＡ）は、単一キャリア変調（single carrier modulation）および周波数領域等化（frequency domain equalization）を用いる技術である。ＳＣ−ＦＤＭＡは、ＯＦＤＭＡシステムと性能が類似しているだけでなく、全体的な複雑さも本質的に同じである。ＳＣ−ＦＤＭＡシグナルは、本来的に単一キャリアの構造なのでピーク対平均電力比（ＰＡＰＲ：peak-to-average power ratio）が低い。ＳＣ−ＦＤＭＡは、低いＰＡＲＰが送信電力効率の点でアクセス端末（access terminals）に非常に役立つので、例えば、アップリンクの通信に用いることができる。したがって、３ＧＰＰ長期的高度化（ＬＴＥ）または進化したＵＴＲＡにおいてアップリンク多元接続方式（uplink multiple access scheme）としてＳＣ−ＦＤＭＡを実現することができる。
【００２３】
高速パケットアクセス（ＨＳＰＡ）には高速ダウンリンクパケットアクセス（ＨＳＤＰＡ：high speed downlink packet access）技術および高速アップリンクパケットアクセス（ＨＳＵＰＡ：high speed uplink packet access）または拡張アップリンク（ＥＵＬ：enhanced uplink）の技術が含まれるが、ＨＡＳＰ＋技術も含まれる。ＨＳＤＰＡ、ＨＳＵＰＡ、ＨＡＳＰ＋は第三世代パートナーシッププロジェクト（３ＧＰＰ）仕様書のリリース５、リリース６、リリース７のそれぞれの一部である。
【００２４】
高速ダウンリンクパケットアクセス（ＨＳＤＰＡ）はネットワークからユーザ機器（ＵＥ：user equipment）へのデータ伝送を最適化する。ここで使用しているようにネットワークからユーザ機器ＵＥへの伝送は「ダウンリンク（downlink）」（ＤＬ）と呼ぶことができる。伝送方式は数メガビット毎秒（several M bits/s）のデータ転送速度（data rate）を可能にする。高速ダウンリンクパケットアクセス（ＨＳＤＰＡ）は移動体無線ネットワーク（mobile radio networks）の容量（capacity）を増大させる。高速アップリンクパケットアクセス（ＨＳＵＰＡ）は端末からネットワークへのデータ伝送を最適化する。ここで使用しているように端末からネットワークへの伝送を「アップリンク（uplink）」（ＵＬ）と呼ぶことができる。アップリンクデータ伝送方式は数メガビット毎秒のデータ転送速度を可能にする。ＨＳＰＡ＋では、３ＧＰＰ仕様書のリリース７に明記されているようにアップリンクおよびダウンリンクは両者ともさらに改善される。高速パケットアクセス（ＨＳＰＡ）方式は、例えば、音声をＩＰに載せる仕組み（ＶｏＩＰ：voice over IP）、テレビ会議、移動オフィスなどの用途のように大量のデータを伝送するデータサービスに関してダウンリンクとアップリンクとの間の高速相互作用を一般に考慮している。
【００２５】
ハイブリッド自動再送要求（ＨＡＲＱ：hybrid automatic repeat request）のような高速データ伝送プロトコルをアップリンクおよびダウンリンクで使用することができる。ハイブリッド自動再送要求（ＨＡＲＱ）プロトコルのようなプロトコルにより受信者は受信中に誤りが生じたかも知れないパケットの再送を自動的に要求することができる。
【００２６】
アクセス端末との関連で様々な実施例をここに述べる。アクセス端末は、システム、加入者ユニット（subscriber unit）、加入者局（subscriber station）、移動局（mobile station）、移動体（mobile）、遠隔局（remote station）、遠隔端末（remote terminal）、移動装置（mobile device）、ユーザ端末（user terminal）、端末、無線通信装置、ユーザエージェント（user agent）、ユーザ装置（user device）、ユーザ機器（ＵＥ）と呼ばれることもある。アクセス端末は、小型携帯移動電話機（cellular telephone）、コードレス電話機（cordless telephone）、セッションイニシエイションプロトコル（ＳＩＰ：Session Initiation Protocol）フォン、ワイヤレスローカルループ（ＷＬＬ：wireless local loop）ステーション、パーソナルデジタルアシスタント（ＰＤＡ：personal digital assistant）、無線接続機能のある手持ち式装置（handheld device）、無線モデムに接続さている計算装置やその他の処理装置のいずれかの可能性がある。さらに、基地局との関連で様々な実施例がここに記載されている。基地局は、アクセス端末との通信に使用することができ、アクセスポイント（access point）、ノードＢ（Node B）、進化したノードＢ（eNodeB：Evolved Node B）、アクセスポイント基地局（access point base station）、その他の用語で呼ばれることがある。
【００２７】
ここで図１を参照する。ここに提示する様々な実施例に応じた無線通信システム１００が例示されている。システム１００は、アンテナ群を多数有していても構わない基地局１０２を具備している。例えば、あるアンテナ群はアンテナ１０４と１０６とを有していて、別のアンテナ群はアンテナ１０８と１１０とを有していて、さらに別のアンテナ群はアンテナ１１２と１１４とを有している。どのアンテナ群にも二つのアンテナが示されているが、もっと多いかもっと少ないかのどちらかの数のアンテナを個々の群に用いても構わない。この技術分野で通常の知識を有する者であれば誰でも知っているように基地局１０２は送信機系列および受信機系列をさらに備えることができる。いずれの系列も信号の送受信に関連している複数個のコンポーネント（例えば、プロセッサ、変調器、多重化装置、復調器、多重分離化装置、アンテナ、その他）で構成されている。
【００２８】
基地局１０２は、アクセス端末１１６やアクセス端末１２２のように一台以上のアクセス端末と通信をすることができる。基地局１０２は、アクセス端末１１６や１２２に類似した実質的に任意の数のアクセス端末と通信をすることができることを理解されたい。アクセス端末１１６および１２２は、例えば、小型携帯移動電話機、スマートフォン（smart phones）、ラップトップ（laptops）、手持ち式通信装置（handheld communication devices）、手持ち式計算装置（handheld computing devices）、サテライトラジオ（satellite radios）、全地球測位システム（Global Positioning Systems）、ＰＤＡｓ、無線通信システム１００により通信をするのに適したその他の装置である。図示されているようにアクセス端末１１６はアンテナ１１２および１１４と通信をしている。アンテナ１１２および１１４は、順方向リンク１１８によりアクセス端末１１６に情報を送信し、逆方向リンク１２０によりアクセス端末１１６から情報を受信する。さらに、アクセス端末１２２はアンテナ１０４および１０６と通信をしている。アンテナ１０４および１０６は、順方向リンク１２４によりアクセス端末１２２に情報を送信し、逆方向リンク１２６によりアクセス端末１２２から情報を受信する。周波数分割複信（ＦＤＤ）システムでは、例えば、順方向リンク１１８は逆方向リンク１２０とは異なる周波数帯を用いることができ、順方向リンク１２４は逆方向リンク１２６とは異なる周波数帯を用いることができる。さらに、時分割複信（ＴＤＤ）システムでは、順方向リンク１１８と逆方向リンク１２０はある周波数帯を共用することができ、順方向リンク１２４と逆方向リンク１２６は別の周波数帯を共用することができる。
【００２９】
個々のアンテナ群および個々のアンテナ群が通信のために指定されている領域はどちらもまたはどちらかが基地局１０２のセクタ（sector）と呼ばれることがある。例えば、基地局１０２がカバーしている領域のセクタ内でアクセス端末と通信をするようにアンテナ群を設計することができる。順方向リンク１１８および１２４による通信では基地局１０２の送信アンテナはビームフォーミングを用いてアクセス端末１１６および１２２に関する順方向リンク１１８および１２４の信号対雑音比を改善することができる。また、基地局１０２が関連範囲のあちこちに任意に散在しているアクセス端末１１６および１２２にビームフォーミングを用いて送信している間は隣接セル内のアクセス端末が受ける干渉は一本のアンテナから全てのアクセス端末に送信する基地局に比べて少ない。
【００３０】
図２は、無線通信システム２００の例を示している。簡略化のために一台の基地局２１０と一台のアクセス端末２５０とで構成されている無線通信システム２００が示されているが、システム２００を構成する基地局とアクセス端末はどちらもまたはどちらかが一台より多い台数であっても構わないことに注意されたい。追加される基地局やアクセス端末はどちらもまたはどちらかが以下に詳しく述べる基地局２１０やアクセス端末２５０の典型例に類似していても良いし、典型例とは異なっていても良い。さらに、基地局２１０およびアクセス端末２５０は、どちらもまたはどちらかが両者間の無線通信を促進させるものとしてここに述べるシステムおよび方法の両者または一方を採用することができる。
【００３１】
基地局２１０では、データストリームの数に関するトラフィックデータがデータソース２１２から送信（ＴＸ）データプロセッサ２１４に供給される。ここに示す例では各データストリームはそれぞれのアンテナから送信される。ＴＸデータプロセッサ２１４は、データストリームのために選択された特定の符号化技術に基づいてトラフィックデータストリームをフォーマットし、符号化し、インターリーブして、符号化されたデータを供給する。
【００３２】
データストリーム毎に符号化されたデータは直交周波数多重（ＯＦＤＭ：Orthogonal Frequency-Division Multiplexing）技術を用いてパイロットデータ（pilot data）で多重化される。その上にまたはその代わりにパイロットシンボル（pilot symbols）に周波数分割多重化（ＦＤＭ：Frequency Division Multiplexed）、時分割多重化（ＴＤＭ：Time Division Multiplexed）、符号分割多重化（ＣＤＭ：Code Division Multiplexed）のいずれかの処理が施される。パイロットデータは、一般に既知の方法で処理されてアクセス端末２５０でチャネル応答（channel response）の推定に使用することのできる既知のデータパターンである。多重化されたパイロットおよび符号化されたデータは、変調シンボルを供給するために当該データストリーム用に選択された特定の変調技術（例えば、２相位相シフトキーイング（ＢＰＳＫ：binary phase-shift keying）、４相位相シフトキーイング（ＱＰＳＫ：quadrature phase-shift keying）、Ｍ相位相シフトキーイング（Ｍ−ＰＳＫ：M-phase-shift keying）、Ｍ相直交振幅変調（Ｍ−ＱＡＭ： M-quadrature amplitude modulation）、その他）に基づいてデータストリーム毎に変調（例えば、シンボルマッピング）される。プロセッサ２３０により実行されたり供給されたりする命令によりデータレート、符号化、変調がデータストリーム毎に決まる。
【００３３】
データストリームの変調シンボルがＴＸ  ＭＩＭＯプロセッサ２２０に供給される。このプロセッサは変調シンボルをさらに処理（して、例えば、ＯＦＤＭ用に）する。次にＴＸ  ＭＩＭＯプロセッサ２２０は、ＮＴ本の変調シンボルストリームをＮＴ台の送信機（ＴＭＴＲ）２２２aないし２２２ｔに供給する。様々な実施例では、ＴＸ  ＭＩＭＯプロセッサ２２０はビームフォーミング重み（beamforming weights）をデータストリームのシンボルおよびシンボルを送信するアンテナに適用する。
【００３４】
各送信機２２２は、個々のデータストリームの受信および処理をして１個以上のアナログシグナルを供給し、これらのアナログシグナルをさらに調整してＭＩＭＯチャネルによる送信に相応しい変調シグナルを供給する。さらに、送信機２２２ａないし２２２ｔからのＮＴ個の変調シグナルがＮＴ本のアンテナ２２４ａないし２２４ｔからそれぞれ送信される。
【００３５】
アクセス端末２５０では、送信された変調シグナルがＮＲ本のアンテナ２５２ａないし２５２ｒにより受信され、受信したシグナルが各アンテナ２５２からそれぞれの受信機（ＲＣＶＲ）２５４ａないし２５４ｒに供給される。各受信機２５４はそれぞれのシグナルを調整して（例えば、フィルタリング、増幅、逓減の処理を施して）、調整したシグナルをデジタル化してサンプルを供給し、これらのサンプルをさらに調整して対応する「受信」シンボルストリームを供給する。
【００３６】
ＲＸデータプロセッサ２６０は、ＮＲ台の受信機２５４からＮＲ本の受信シンボルストリームを受け取って特定の受信処理技術に基づく処理を施してＮＴ本の「検出」シンボルストリームを供給する。ＲＸデータプロセッサ２６０は、各検出シンボルストリームに復調、デインターリーブ、復号の各処理を施してデータストリーム用のトラフィックデータを回復する。ＲＸデータプロセッサ２６０による処理は、ＴＸ  ＭＩＭＯプロセッサ２２０およびＴＸデータプロセッサ２１４が基地局２１０で行った処理の補完である。
【００３７】
プロセッサ２７０は、どの利用可能な技術を前述のように用いるのかを周期的に判定する。さらに、プロセッサ２７０は、インデックス部とランク値部から成るマトリックスを含む逆方向リンクメッセージを作成することができる。
【００３８】
逆方向リンクメッセージは、通信リンクおよび受信データストリームの両者または一方に関する様々な種類の情報から成っている。逆方向リンクメッセージは、何本ものデータストリームに関するトラフィックデータをデータソース２３６から受け取るＴＸデータプロセッサ２３８により処理され、変調器２８０により変調され、送信機２５４ａないし２５４ｒにより調整されて基地局２１０に返送される。
【００３９】
基地局２１０では、アクセス端末２５０からの変調信号がアンテナ２２４で受信され、受信機２２２により調整され、復調器２４０により復調され、ＲＸデータプロセッサ２４２により処理されて、アクセス端末２５０が送信した逆方向リンクメッセージを抽出する。さらに、プロセッサ２３０は抽出したメッセージを処理してどのプリコーディングマトリックスを用いてビームフォーミング重みを判定するのかを判断する。
【００４０】
プロセッサ２３０および２７０は、基地局２１０およびアクセス端末２５０の操作をそれぞれ指揮（direct）すること（例えば、制御（control）、調整（coordinate）、管理（manage）、その他をすること）ができる。プロセッサ２３０および２７０は、プログラムコードやデータを格納しているメモリ２３２および２７０にそれぞれ関連付けられている。プロセッサ２３０および２７０は、アップリンクおよびダウンリンクのそれぞれについて周波数およびインパルス応答推定（frequency and impulse response estimates）を導き出す演算も実行する。
【００４１】
ＣＲＳベース対ＤＭ−ＲＳに基づくＲ−ＰＤＣＣＨの復号化
半二重リレー（half-duplex relays）は、関連ＵＥｓ（例えば、図１の移動局１１６および１２２）に送信することはできないが、ＤｅＮＢから同時に受信することができる。ＬＴＥと互換性のある状態でこの問題に対処するために単一周波数ネットワークによるマルチメディアブロードキャスト（ＭＢＳＦＮ：Multi-Media Broadcast over a Single Frequency Network）サブフレームとしてバックホールサブフレーム（backhaul sub-frames）を構成することがリレーに期待されている。しかし、ＭＢＳＦＮサブフレームを構成する必要があるのでバックホールとアクセスリンク操作とを切り替えるにはリレーはＯＦＤＭシンボルが少なくとも１個必要である。構成されているＣＲＳポートの数および送信される制御信号の数に応じてリレーは最初のＯＦＤＭシンボル（１個または２個のＣＲＳポートと１個の制御シンボル）または最初の２個のＯＦＤＭシンボル（４個のＣＲＳポートと２個の制御シンボル）を受信することができない。さらに、ＤｅＮＢの物理制御フォーマットインジケータチャネル（ＰＣＦＩＣＨ：Physical Control Format Indicator Channel）の値をリレーは読むことができないのでリレーはサポートされている最大値（すなわち、３ＭＨｚ以上の場合の３個のＯＦＤＭシンボル）を推定する必要がある。したがって、ある態様では、四番目のＯＦＤＭシンボルの開始位置にＲ−ＰＤＣＣＨが配置されている。
【００４２】
Ｒ−ＰＤＣＣＨの配置に関する従来の試みでは演算に関する二種類の取り組みに焦点が当てられていた。すなわち、図３に例示した純粋なＦＤＭの取り組みと図４に例示したハイブリッドＦＤＭ＋ＴＤＭ設計である。これから提示する議論はＣＲＳまたはＤＭ−ＲＳのどちらかに基づく復号化の性能に基づいて両方法を比較するものである。
【００４３】
ＣＲＳに基づくＲ−ＰＤＣＣＨの復号化
上に述べたリレー操作の結果、ＣＲＳを基にしたＲ−ＰＤＣＣＨの復号化は幾つかの困難に直面する。第一に、ＤｅＮＢによりＭＢＳＦＮとして構成されているサブフレームにバックホール送信が生じる度にＣＲＳを入手することができないことがある。このような場合でもＣＲＳに基づく復号化が依然として可能であるためには少なくともＲ−ＰＤＣＣＨを運ぶリソースブロック（ＲＢｓ）でＣＲＳを伝送する必要がある。それでも広帯域の特徴をチャネル推定性能の改善に用いると言うようなＣＲＳに典型的に関連している幾つかの利点を引き継ぐことはできない。
【００４４】
さらに、上に述べたバックホール送信のタイミングによってリレーは、特に中速から高速で必然的に望ましくない復号化性能になってしまうＤｅＮＢの制御領域でＣＲＳシンボルを使用することができない可能性がある。また、アンテナポート２および３では、残りのＣＲＳリソースエレメント（ＲＥｓ）は１個のＯＦＤＭシンボルに配置されて良く、複数個のシンボルの随所で時間通りにリレーを補完することを妨げる。さらに、リレーによるバックホールのために利用可能なＣＲＳ  ＲＥｓ毎ＲＢの数はアンテナポート｛０，１，２，３｝に対してそれぞれ｛６，６，２，２｝である。
【００４５】
早期復号化（すなわち、第一スロットの終わりでＲ−ＰＤＣＣＨの復号化処理を開始すること）を目標にしてハイブリッドＦＤＭ＋ＴＤＭセットアップにＣＲＳに基づく復号化を試みるとさらなる混乱が生じてしまう。この場合には、アンテナポート０および１ではさらに少ない数のＣＲＳシンボルしか使用することができず、アンテナポート２や３では利用可能なシンボルが全くなくなってしまうかも知れない。この観測に基づいてＣＲＳに基づく復号化は、第二スロットの第二ＯＦＤＭシンボル（すなわち、アンテナポート２および３に関する第二スロット内の第一ＣＲＳシンボルの位置）までＲ−ＰＤＣＣＨの復号化を遅らせない限り、ハイブリッドＦＤＭ＋ＴＤＭ設定のための早期復号化と整合しないように思われる。しかし、この場合には早期復号化の潜在的な利得は減少してしまう。
【００４６】
ＤＭ−ＲＳに基づくＲ−ＰＤＣＣＨの復号化
この開示のある態様では承認されているＤＭ−ＲＳパターンがＤＭ−ＲＳに基づくＲ−ＰＤＣＣＨの復号化にリレーにより直ちに利用される。これにより、前記のような復号化の仕様や具体化の影響が緩和される。さらに、Ｒ−ＰＤＣＣＨの復号化にＤＭ−ＲＳを用いることにはビームフォーミングをサポートすると言う付加的な利点がある。
【００４７】
図５には、典型的なＤＭ−ＲＳパターン５００が正規および拡張の両サイクリックプレフィクス（ＣＰ：Cyclic Prefix）を示し、第一のリファレンスシンボル５１０および第二のリファレンスシンボル５１２が設けられている。リレーのタイミングに関して先に示した議論に基づいてリレーは３個のＯＦＤＭシンボルのＤｅＮＢの制御領域に続く少なくとも１１個のシンボルを使用することができる。したがって、何等の修正も必要としないでＤＭ−ＲＳパターン５００を復号化に用いることができる。この目的のために図５には、アンテナポートが２個で正規のＣＰの場合の典型的なＤＭ−ＲＳパターンが例示されていることに注意されたい。同様のパターンを４個のアンテナポートおよび拡張ＣＰの場合に使用することができる。
【００４８】
ＤＭ−ＲＳベースの復号化性能
純粋なＦＤＭ設計およびハイブリッドＦＤＭ＋ＴＤＭ設計の両者におけるＤＭ−ＲＳベースの復号化のリンクレベルの性能結果について述べる。性能評価は以下の仮定に基づく二種類の構成の比較である。
【００４９】
純粋なＦＤＭの場合の送信構造が図３に例示されている。この構造では、３ないし４個の範囲が典型である限られた数のＲＢｓの随所にＲ−ＰＤＣＣＨがインターリーブされている。図５に例示されているＤＭ−ＲＳパターンに基づいて復号化が行われる。
【００５０】
ハイブリッドＦＤＭ＋ＴＤＭの場合、図４に例示されているように、Ｒ−ＰＤＣＣＨが多数のＲＢｓの随所にインターリーブされているが、一つ一つを見れば第一スロットのＲＥｓだけがＲ−ＰＤＣＣＨの搬送に用いられていて、残りのものはＲ−ＰＤＳＣＨの送信に用いられている。ハイブリッドＦＤＭ＋ＴＤＭはＲ−ＰＤＣＣＨの早期復号化を目的にしているので復号化には第一スロットで送信されたＤＭ−ＲＳシンボルだけしか使わないようにしても良い（それゆえ、第二スロットのＤＭ−ＲＳシンボルはＲ−ＰＤＳＣＨの復号化に使用することができる）。公平な比較をするため、多数のＲＢｓの随所におけるインターリーブは純粋なＦＤＭに比べてどちらの方式でも制御領域のサイズが同様であるものとして検討する。
【００５１】
３個のＲＢｓの随所にインターリーブされている純粋なＦＤＭは６個のＲＢｓの随所にインターリーブされているハイブリッドＦＤＭ＋ＴＤＭより性能が優れている（実際のところ、たった２個のＲＢｓの随所にインターリーブされているに過ぎない純粋なＦＤＭでも僅かではあるがハイブリッドの場合より優れた性能を示す）。特に、制御チャネル要素（ＣＣＥ：Control Channel Element）が１個の場合、１０％のフレーム誤り率（ＦＥＲ：frame error rate）を目標としているのであれば、利得は０．８ｄＢになる。１％のＦＥＲを目標としているのであれば、利得は０．７ｄＢになる。
【００５２】
少なくともこれらの結果を基にすれば、第一スロットのＤＭ−ＲＳシンボルしか使用しないことに起因する復号化性能の劣化に関する補償がハイブリッドＦＤＭ＋ＴＤＭにより達成される付加的な干渉ダイバーシチでは不十分である場合があると言わざるを得ない。この観察結果に加えて純粋なＦＤＭは、リレー物理ダウンリンク制御チャネル（Ｒ−ＰＤＣＣＨ）やリレー物理ダウンリンク共用チャネル（Ｒ−ＰＤＳＣＨ）のみに使用されるＤＭ−ＲＳシンボルから恩恵を受ける。対照的にハイブリッドＦＤＭ＋ＴＤＭ方式では第一スロットのＤＭ−ＲＳシンボルはＲ−ＰＤＣＣＨの送信をサポートしなければならないので特定のリレー用に仕立てられたビームフォーミングをサポートすることができない。したがって、Ｒ−ＰＤＳＣＨは低性能に直面してしまう。これによりＲ−ＰＤＳＣＨの復号化性能が損なわれるので、さらなる劣化が生じてしまうかも知れないことは明らかである。
【００５３】
純粋なＦＤＭ多重化のための早期復号化
ハイブリッドＦＤＭ＋ＴＤＭ多重化構造の早期復号化による潜在的な利点は純粋なＦＤＭ設計の不利点であると考えることができる。この開示のある態様は、インターリーブと復号化の適切な修正による純粋なＦＤＭ設計における早期復号化の促進に向けられている。
【００５４】
この着想の典型的な実施例が図６に示されている。ここでは、あるリレーノード「Ａ」のＲ−ＰＤＣＣＨが中央のリソースで送信される。この例では純粋なＦＤＭとＲ−ＰＤＳＣＨやＲ−ＰＤＣＣＨとの多重化構造は依然として元のままであるが、簡単にするために図６にはどちらのチャネルも示されていない。図６に示されているようにリレー「Ａ」用のＲ−ＰＤＣＣＨはサブフレーム全体ではなくてＯＦＤＭシンボルのほぼ半分から成る小さな領域（この領域の正確なサイズもインターリーブ手順も指定されているままである）の随所にインターリーブされる。リレー「Ａ」用のインターリーブされているＲ−ＰＤＣＣＨブロックはサブフレーム内の利用可能なリソースを全て埋め尽くすまで繰り返される。
【００５５】
上に述べた構造のおかげでリレーノード（ＲＮ）「Ａ」による早期復号化の実施がインターリーブされている第一ブロックのみに基づくＲ−ＰＤＣＣＨの復号化の試みにより可能になる。復号化が成功すれば、この特定のＲＢ内で次に続くのはインターリーブされている第一ブロックの繰り返しであることが分かっているのでリレーは復号化処理を終了する。しかし、復号化に失敗すればリレーは、インターリーブされている第二ブロックに含まれる付加的なエネルギを活かして二度目の復号化を試みる。
【００５６】
上に述べた着想にさらに磨きを掛ければリソースや帯域幅の利用の改善に繋がる。特に、インターリーブされている第一ブロックに基づくＲＮ「Ａ」による早期復号化が殆どの場合に成功するのであれば、インターリーブされている第二ブロックを別のリレーＲ−ＰＤＣＣＨに用いることによりリソースの活用がさらに改善される。例えば、図７に示した構成を考えることができる。ここでは、インターリーブされている第一ブロックが３個のリレー「Ａ」、「Ｂ」、「Ｃ」のインターリーブされているＲ−ＰＤＣＣＨから成っている。リレー「Ａ」が早期復号化を目標にしているのに対してリレー「Ｂ」や「Ｃ」は早期復号化を目標にしていないかも知れない（ｅＮｏｄｅＢおよびリレーは、高次レイヤのシグナリングによりどちらも復号化の目的が分かっている）。図７に示されているようにインターリーブされている両時間領域ブロックのインターリーブ構造が類似しているので先に述べた場合のように連続的な復号化の試みが可能である。しかし、早期復号化を試みるのはリレー「Ａ」だけであり、リレー「Ｂ」や「Ｃ」はＲＢの後半にあるリソースに依存しているので、ＲＢの後半にあるリソースが「無駄」になるのは一部のみに過ぎない。
【００５７】
図７に示されている着想はスロットの境界を厳格に守らなくても適用することができる。特に、図８に示すようにリソースエレメントグループ（ＲＥＧ：resource element group）マッピングを片寄らせて、リレー「Ａ」のＲ−ＰＤＣＣＨが最初の半分に殆ど位置するようにし、リレー「Ｂ」や「Ｃ」のＲ−ＰＤＣＣＨが後半のタイムスロットに殆ど位置するようにすることができる。このようにしても特定のリレーが他のリレーより平均的に早く復号化することができるようになるのでＤｅＮＢが特定のリレーを有利にすることができる。
【００５８】
この着想のさらに別の実施例が図９に示されている。ここでは、インターリーブされているブロックは同じ構造を有していない。リレー「Ａ」のＲ−ＰＤＣＣＨは第一ブロックのみにインターリーブされているのに対して別のリレー「Ｂ」は第二スロットのみにインターリーブされている（したがって、早期復号化の可能性はない）。この構成は、リレー「Ａ」が比較的高速で作動してチャネル状態がリレー「Ｂ」に比べて良い場合に実践的な観点から興味深い。このような場合には、早期復号化をサポートする価値がリレー「Ａ」にはあるがリレー「Ｂ」には必ずしもあるとは言えない。どのリレーも第一スロット内でＲ−ＰＤＣＣＨを少なくとも一つ取得するようにＲ−ＰＤＣＣＨの探索空間（search space）がなっていることに注意するべきである。例えば、第一タイムスロットに共通探索空間を確保すればこのようにすることができる。
【００５９】
図１０に示されている別の代案ではダウンリンク（ＤＬ）の許可の伝送をアップリンク（ＵＬ）の許可の伝送よりも優先させる。図１０に示されているようにＤＬの許可は第一タイムスロットで独占的に伝送される（第二タイムスロットの幾つかのリソースを必要に応じて付加的に占めることができる）。これに対して、ＵＬの許可は残りのリソースを使用するので第二タイムスロットで殆どが送信される。この構成の利点は、ＵＬの許可に通常必要な処理時間が短くて済むことである。したがって、この技術を用いて早期復号化を幾らかでも達成することができる。
【００６０】
図６〜図１０に示されているどのインターリーブされているブロックもＲＢのスロット境界と一致している必要のないことに注意する。むしろ、第一ブロックの長さを延ばして早期復号化の利点を犠牲にすることと、インターリーブされている第一ブロックに基づく復号化にリレーが大抵成功する高い可能性を維持することとのトレードオフを考慮することが必要である。
【００６１】
早期復号化を可能にするために制御チャネルにより伝送される補間制御構造（interpolating control structure）を生成するためにＤｅＮＢが実行する典型的な動作をこれから示す。そのような動作は、複数個のリレーノード専用のリファレンスシグナルを有するＲ−ＰＤＣＣＨブロックから成る制御構造の生成で開始される。ここで、Ｒ−ＰＤＣＣＨは複数の周波数リソースおよび少なくとも二つのタイムスロットを占有していることに注意すること。ここで、個々のＲ−ＰＤＣＣＨブロックはタイムスロットの一部分を占有している。次にＤｅＮＢは、周波数リソースおよびタイムスロットを用いて複数台のリレーノードに制御構造を送信する。
【００６２】
リレーノードにおけるリレーバックホールリンクの制御チャネルの早期復号化を促進させる典型的な動作をこれから示す。例えば、複数台のリレーノード専用のリファレンスシグナルを有するＲ−ＰＤＣＣＨブロックから成るタイムスロットや周波数リソースにより送信される制御構造をリレーノードが受信するとそのような動作が開始される。そのような実施例では、Ｒ−ＰＤＣＣＨブロックは周波数リソースと少なくとも二つのタイムスロットとを占有するかも知れない。ここで、個々のＲ−ＰＤＣＣＨブロックはタイムスロットの一部分を占有するかも知れない。リレーノードは少なくとも１個のＲ−ＰＤＣＣＨブロックを復号化する。
【００６３】
早期復号化をサポートするさらに別の可能性としては（時間が先ではなくて）周波数が先でＲＥＧマッピングを実行することである。ｅＮＢにより実行されるインターリーブ構造に応じて早期復号化から利益を受けるリレーが統計的に幾つかある。あるいは、時間が先の符号化や時間が先のインターリーブと周波数が先のインターリーブとの組み合わせでは、リレーは第一スロットの変調シンボルを用いて変調するのみである。ドナーのｅＮＢは、Ｒ−ＰＤＣＣＨの電力（power）を増大させるか、高いＣＣＥ  Ｒ−ＰＤＣＣＨを用いるかのいずれかによりリレーによる早期復号化を可能にする。さらに、異なるスロットに異なるプリコーディングベクトルを使用したり、ＤＭ−ＲＳのために異なる電力増幅を適用したりすることも可能である。
【００６４】
この節に記載されているインターリーブ構造はハイブリッドＦＤＭ＋ＴＤＭの構成に似ていることにも注意する。この設計は、Ｒ−ＰＤＣＣＨとＲ−ＰＤＳＣＨの両者とは対照的に異なるリレーのＲ−ＰＤＣＣＨでのみ作動する。制御とデータの多重化はこの純粋なＦＤＭ構成では依然として避けられている。その結果、先に述べた純粋なＦＤＭの利点が依然として当て嵌まる。
【００６５】
この開示のある態様は、Ｒ−ＰＤＣＣＨのリソースや電力や集約のレベルに関するｅＮＢにおける知的選択技術を提供する。この技術は早期復号化を可能にする助けにもなる。早期復号化を可能にする目的でリソースや電力や集約のレベルを選択する他にも、異なるスロットに異なるプリコーディングベクトルを用いたり、ＤＭ−ＲＳではなくて異なるスロットのＲ−ＰＤＣＣＨデータトーン（data tones）の電力上昇に用いたりすることが含まれるが、これらに限定される訳ではない。
【００６６】
さらに、Ｒ−ＰＤＣＣＨの早期復号化を可能にする前記の技術はＲ−ＰＤＳＣＨに拡張することができるのでリレーによるデータの早期復号化が促進される。これは、高速でサービスを受けているリレーに特に有利である。例えば、二つの「ソフト（soft）」スロットの周波数領域先行マッピング（frequency domain-first mapping）または繰り返し型マッピング（repetition-type mapping）をＲ−ＰＤＳＣＨ用のそのようなレートマッチング（rate matching）に用いることができる。
【００６７】
Ｒ−ＰＨＩＣＨブロックの配置
この開示のある態様では、Ｒ−ＰＨＩＣＨ（Physical Hybrid ARQ (Automatic Repeat Request) Indicator Channel（リレー物理ハイブリッドＡＲＱ（自動再送要求）インジケータチャネル））ブロックがＲ−ＰＤＣＣＨブロックと一緒に送信される。リレーノードがＲ−ＰＤＣＣＨブロックの受信および復号化と一緒に１個以上のＲ−ＰＨＩＣＨブロックを受信して復号化する。Ｒ−ＰＨＩＣＨの送信は、Ｒ−ＰＤＣＣＨに既に占有されているリソースブロック（ＲＢｓ）の部分集合に収容されている。この開示のある態様では、Ｒ−ＰＨＩＣＨの時間配置に関して異なる送信構成がサポートされている。以下では、Ｒ−ＰＨＩＣＨの配置に関する異なる選択肢を図１０に示されているＲ−ＰＤＣＣＨ構成に基づいて説明する。但し、鍵となる着想は別の構成にも適用することができる。
【００６８】
ＬＴＥリリース８の仕様書にしたがって正規のＣＰ構成の場合にはＰＨＩＣＨ（Physical Hybrid ARQ Indicator Channel（物理ハイブリッドＡＲＱインジケータチャネル））は１２個のリソースエレメント（ＲＥｓ）から成っている。これらのＲＥｓは、４個のリソースエレメントから成るグループが３つで１組を成して送信され、システム帯域幅の随所にインターリーブされる。リレーの文脈ではＲ−ＰＨＩＣＨは、Ｒ−ＰＤＣＣＨ専用のＲＢｓの部分集合で送信された同じ数のリソースエレメントから成っている。
【００６９】
時間領域ではＲ−ＰＨＩＣＨリソースは、ＤＬまたはＵＬのそれぞれの許可を運ぶサブフレームの一部分に独占的にマッピングされる（例えば、図１０に示されているＤＬおよびＵＬの許可）。Ｒ−ＰＨＩＣＨがアップリンク関連の情報を運んでいるのであればＵＬ部分におけるＲ−ＰＨＩＣＨの送信は好ましい選択肢である。しかし、Ｒ−ＰＨＩＣＨの送信のためにサブフレームのＤＬ部およびＵＬ部の両者を使用することができるが、サブフレームのＤＬ部およびＵＬ部の両者間の境界を横切る個々のＲ−ＰＨＩＣＨグループはない。さらに別のＲ−ＰＨＩＣＨ構成では、そのよう重複が許されるが、サブフレームのＤＬ部やＵＬ部が異なるインターリーブ手順に服しているかも知れないのでそのような構成は注意深く設計されていなければならない。
【００７０】
ある態様では、正規のサブフレーム用のＵＥ−ＲＳパターンがＤＭ−ＲＳパターンとして採用されることや１０個のＲＢｓを超えている帯域幅の場合にＲ−ＰＤＣＣＨが四番目のＯＦＤＭシンボルから始まることがここに提案される。リンクレベルのシミュレーションに基づいて純粋のＦＤＭおよびハイブリッドＦＤＭ＋ＴＤＭの両着想を互いに比較すると、限られた数のＲＢｓの随所におけるインターリーブに限定されていたとしても純粋のＦＤＭの方がハイブリッド方式よりも優れていることが分かる。これらの発見に基づいてある態様では純粋のＦＤＭ設計がＲ−ＰＤＣＣＨに採用されている。さらに、前述のように純粋のＦＤＭ設計において早期復号化をサポートする潜在的な手法も採用されている。
【００７１】
次に参照する図１１は、一実施例によるリレーシグナルの早期復号化を促進させる典型的なリレーユニットのブロック図が示される。図示されているようにリレーユニット１１００にはプロセッサコンポーネント１１１０、メモリコンポーネント１１２０、通信コンポーネント１１３０、リファレンスコンポーネント１１４０、復号化コンポーネント１１５０が含まれている。
【００７２】
一態様では、プロセッサコンポーネント１１１０が複数の機能のどの遂行にも関連しているコンピュータ可読命令を実行するように構成されている。プロセッサコンポーネント１１１０は、メモリコンポーネント１１２０や通信コンポーネント１１３０やリファレンスコンポーネント１１４０や復号化コンポーネント１１５０が使用する情報の生成およびリレーユニット１１００から伝達される情報の解析の両者または一方に専用される一台のプロセッサでも良いし、複数台のプロセッサでも良い。その上にまたはその代わりに、プロセッサコンポーネント１１１０はリレーユニット１１００の１個以上のコンポーネントを制御するように構成される。
【００７３】
別の態様では、メモリコンポーネント１１２０はプロセッサ１１１０に連結されていてプロセッサ１１１０が実行するコンピュータ可読命令を格納するように構成される。メモリコンポーネント１１２０は、通信コンポーネント１１３０、リファレンスコンポーネント１１４０、復号化コンポーネント１１５０の任意のどれかが生成したデータを含めて別の種類の複数のデータをどれでも格納するようにも構成される。メモリコンポーネント１１２０は、ランダムアクセスメモリ、バッテリで支援されているメモリ（battery-backed memory）、ハードディスク、磁気テープ、その他を含む幾つかの異なる構成として形成することができる。圧縮や自動バックアップのような様々な機能を（例えば、独立したディスクの重複配列構成（Redundant Array of Independent Drives configuration））を採用するなどして）メモリコンポーネント１１２０に実装することもできる。
【００７４】
さらに別の態様では、プロセッサコンポーネント１１１０に連結されていてリレーユニット１１００を外部エンティティとインターフェースで接続するように構成されている通信コンポーネント１１３０をリレーユニット１１００が備えている。例えば、通信コンポーネント１１３０はサブフレーム内のシグナルを受信するように構成されている。ここで、受信したシグナルはリレーユニット１１００に関連付けられている。受信したシグナルを含んでいるサブフレームが複数種類のアーキテクチャのいずれにしたがって設計されていても構わないことがここでは考えられている。例えばサブフレームは、周波数分割多重および時分割多重の両者を含むハイブリッドサブフレームであっても構わない。しかし別の実施例ではサブフレームは純粋な周波数分割多重サブフレームである。
【００７５】
ある態様では、受信したシグナルがリレー物理ダウンリンク制御チャネル（Ｒ−ＰＤＣＣＨ）に含まれているかも知れないことに注意する。そのような実施例では受信したシグナルは異なるリレーにそれぞれ対応している複数個のシグナルに含まれているかも知れない。ここで、Ｒ−ＰＤＣＣＨには複数個のシグナルが含まれている。別の態様では、受信したシグナルはリレー物理ダウンリンク共用チャネルに含まれているかも知れない。この特定の実施例では、受信したシグナルは異なるリレーにそれぞれが対応している複数個のシグナルに含まれているかも知れない。ここで、Ｒ−ＰＤＣＣＨには複数個のシグナルが含まれている。
【００７６】
図示されているように、リレーユニット１１００はリファレンスコンポーネント１１４０をさらに有している。そのような実施例ではリファレンスコンポーネント１１４０は、サブフレーム内の第一リファレンスシンボルおよび第二リファレンスシンボルを検出するように構成されている。したがって、第一リファレンスシンボルは第二リファレンスシンボルの前に検出されることに注意すること。様々な種類のリファレンスシグナルのどれが検出されても、第一リファレンスシンボルおよび第二リファレンスシンボルが復調リファレンスシグナルに関連付けられている特定の実施例を考えることができることにさらに注意すること。
【００７７】
ある態様では、リレーユニット１１００が復号化コンポーネント１１５０をさらに有している。そのような実施例では、復号化コンポーネント１１５０は受信したリレーシグナルを第一レファレンスシンボルに基づいて復号化するように構成されている。特定の実施例では、復号化コンポーネント１１５０は受信したシグナルに関連付けられている固有パラメータを特定するようにさらに構成される。ここで、固有パラメータは電力レベル、リソースレベル、集約レベルの少なくとも一つである。別の実施例では、復号化コンポーネント１１５０はサブフレーム内の異なるスロットに関連付けられている異なるプリコーディングベクトルを区別するように構成される。さらに別の実施例では、復号化コンポーネント１１５０は受信したシグナルに関連付けられているデータトーンに適用される電力の上昇を特定するように構成される。ここで、第一レファレンスシンボルおよび第二レファレンスシンボルは電力の上昇から除外される。
【００７８】
リレーユニット１１００は受信したシグナルの第一リファレンスシンボルによる復号化に時々失敗することが考慮されている。復号化のためにリレーユニット１１００に関連付けられているシグナルがリソースブロックの第一部分に含まれていて、しかも、第一部分の後で受信するリソースブロックの第二部分にそのシグナルが繰り返されている実施例がある。このような実施例では、復号化コンポーネント１１５０はリソースブロックの第一部分によるシグナルの復号化を試みるように構成される。その上で第一部分によるシグナルの復号化が失敗した場合、復号化コンポーネント１１５０はリソースブロックの第二部分によるシグナルの復号化を引き続き実行するようにさらに構成される。
【００７９】
リレーユニット１１００に関連付けられているリレーシグナルが複数個のシグナルに含まれていることがさらに考えられている。例えば、複数台のリレーにそれぞれ対応している複数個のシグナルが単一のリソースブロックに含まれる。ある態様では、図７に示されているように、複数個のシグナルがリソースブロックの第一部分に含まれていて、その複数個のシグナルが第一部分の後で受信されるリソースブロックの第二部分で繰り返されている。別の態様では、図８に示されているように、特定のリレーに関連付けられているシグナルがリソースブロックの第一部分に片寄って位置し、複数個のシグナルの残りが第一部分の後で受信される第二部分に片寄って位置している。さらに別の態様では、図９に示されているように、特定のリレーに関連付けられているシグナルがリソースブロックの第一部分に含まれていて、別のリレーに関連付けられている別のシグナルが第一部分の後で受信される第二部分に含まれている。
【００８０】
アップリンクおよびダウンリンクの許可の伝達に関する実施例も開示されている。例えば、ある態様では、受信したリレーシグナルには一式のアップリンク許可と一式のダウンリンク許可が含まれている。そのような実施例では、一式のダウンリンク許可はリソースブロックの第一部分に含まれていて、一式のアップリンク許可は第一部分の後で受信されるリソースブロックの第二部分に含まれている。
【００８１】
さらに別の態様では、制御チャネル専用のリソースブロックによって非制御チャネル（non-control channels）を受信するように通信コンポーネント１１３０を構成することが考えられている。例えば特定の実施例では、Ｒ−ＰＤＣＣＨ専用のリソースブロックでリレー物理ハイブリッド自動再送要求インジケータチャネル（Relay Physical Hybrid Automatic Repeat Request Indicator Channel）を受信するように通信コンポーネント１１３０が構成される。この実施例では復号化コンポーネント１１５０は、リレー物理ハイブリッド自動再送要求インジケータチャネルに関連付けられているリソースを一式のアップリンク許可または一式のダウンリンク許可の少なくとも一方が含まれているサブフレームの一部分に独占的にマッピングするように構成される。
【００８２】
図１２に切り換えれば、ある実施例にしたがってリレーシグナルの早期復号化を促進させるシステム１２００が示されている。システム１２００およびシステム１２００を実現させる命令の両者または一方は、例えば、リレーノード（例えば、リレーユニット１１００）またはコンピュータ可読媒体に在中している。図示されているようにシステム１２００は、プロセッサやソフトウェアや両者の組み合わせ（例えば、ファームウェア）により実行される機能を表す機能ブロックを有している。システム１２００は、連携作動の可能な電気コンポーネントの論理グループ１２０２を有している。図示されているように論理グループ１２０２は、サブフレーム内にあってリレーに関連付けられているシグナルを受信する電気コンポーネント１２１０を有している。論理グループ１２０２は、サブフレーム内の第一および第二のリファレンスシンボルを検出する電気コンポーネント１２１２も有している。さらに論理グループ１２０２は、第一リファレンスシンボルに基づいてシグナルを復号化する電気コンポーネント１２１４を有している。その上にシステム１２００は、電気コンポーネント１２１０、１２１２、１２１４のいずれかに関連付けられている諸機能を実行するための諸命令を保持するメモリ１２２０を有している。電気コンポーネント１２１０、１２１２、１２１４はそれぞれがメモリ１２２０の中または外のどちらかに設けられている。
【００８３】
次に参照する図１３は、リレーシグナルの早期復号化を促進させる典型的な方法を例示しているフローチャートである。図示されているように、リレーノード（例えば、リレーユニット１１００）の様々なコンポーネントがこの明細書の態様にしたがって実行する一連の動作でプロセス１３００は構成される。コンピュータ可読記憶媒体に格納されていて一連の動作を実行させるコンピュータ実行可能命令を実行する少なくとも一台のプロセッサを用いることによりプロセス１３００を実現することができる。別の実施例では、少なくとも一台のコンピュータにプロセス１３００の諸動作を実現させるコードを含んでいるコンピュータ可読記憶媒体が考えられている。
【００８４】
ある態様では、動作１３１０でネットワークとの通信が確立することでプロセス１３００が開始される。次に、動作１３２０で、リレーシグナルをネットワークから受信する。これに続いてシグナル内のリファレンスシンボルの検出が動作１３３０で行われる。例えば、復号化リファレンスシグナルを含めて複数個のリファレンスシグナルのどれでも受信可能であることにここで注意する。この目的のためにリファレンスシンボルが一度検出されるとプロセス１３００は動作１３４０に進んで特定のリファレンスシンボルパターンを識別する。例えば、ある態様では、図５に示されているパターンを識別して、図示されているように少なくとも第一および第二の一式のリファレンスシンボルを受信する。
【００８５】
早期復号化が不要であったり望ましくなかったりするリレーノードもあることが考慮されている。したがって、プロセス１３００は動作１３５０で早期復号化アルゴリズムを適用すべきか否かを判断する。早期復号化が望ましい場合、プロセス１３００は動作１３６０に進んで前半の一組のリファレンスシンボルを選択して動作１３７０で引き続き行われる復号化を促進させる。これに対して早期復号化が望ましくない場合、プロセス１３００は動作１３５５に進んで後半の一組のリファレンスシンボルを選択して動作１３７０で行われる復号化を促進させる。
【００８６】
次に参照する図１４は、様々な態様にしたがってリレーシグナルの早期復号化を促進させる典型的なネットワークエンティティ（例えば、ｅＮｏｄｅＢ）を示すブロック図である。図示されているようにネットワークエンティティ１４００は、プロセッサコンポーネント１４１０、メモリコンポーネント１４２０、生成コンポーネント１４３０、リファレンスコンポーネント１４４０、通信コンポーネント１４５０を有している。
【００８７】
リレーユニット１１００のプロセッサコンポーネント１１１０と同じようにプロセッサコンポーネント１４１０は複数の機能のどれでも実現させるコンピュータ可読命令を実行するように構成されている。プロセッサコンポーネント１４１０は、ネットワークエンティティ１４００から伝達される情報の解析およびメモリコンポーネント１４２０や生成コンポーネント１４３０やリファレンスコンポーネント１４４０や通信コンポーネント１４５０が使用する情報の両者または一方の生成に関する専用の一台のプロセッサまたは複数台のプロセッサである。その上にまたはその他に、ネットワークエンティティ１４００の一台以上のコンポーネントを制御するようにプロセッサコンポーネント９１０は構成されている。
【００８８】
別の態様ではメモリコンポーネント１４２０は、プロセッサコンポーネント１４１０に連結されていてプロセッサコンポーネント１４１０が実行するコンピュータ可読命令を格納するように構成される。メモリコンポーネント１４２０は、生成コンポーネント１４３０やリファレンスコンポーネント１４４０や通信コンポーネント１４５０のいずれが生成したデータでもそれらを含めて複数の別の種類のデータをどれでも格納するように構成されている。メモリコンポーネント１４２０は、リレーユニット１１００のメモリコンポーネント１１２０に類似していることにここで注意すること。したがって、メモリコンポーネント１１２０の前述の諸特徴や諸構成はメモリコンポーネント１４２０にも当て嵌まることを理解されたい。
【００８９】
図示されているように、ネットワークエンティティ１４００は生成コンポーネント１４３０も有している。そのような実施例では、生成コンポーネント１４３０は特定のサブフレーム内でリレーシグナルを生成するように構成される。生成されたシグナルを含むサブフレームを複数のアーキテクチャのどれかにしたがって設計することがここで意図されている。例えば、第一の実施例ではサブフレームは周波数分割多重および時分割多重の両者を含むハイブリッドサブフレームであるが、別の実施例ではサブフレームは純粋な周波数分割多重サブフレームである。さらなる実施例では、生成コンポーネント１４３０は、生成されたシグナルに固有のパラメータを関連付けるように構成される。ここで固有のパラメータは、電力レベル、リソースレベル、集約レベルの少なくとも一つである。さらに別の実施例では生成コンポーネント１４３０は、サブフレーム内の異なるスロットにそれぞれ関連付けられている異なるプリコーディングベクトルを用いるように構成される。
【００９０】
ネットワークエンティティ１４００はリファレンスコンポーネント１４４０も有している。そのような実施例ではリファレンスコンポーネント１４４０は、サブフレーム内に第一リファレンスシンボルおよび第二リファレンスシンボルを供給するように構成される。第一リファレンスシンボルは第二リファレンスシンボルの前に供給されることにここで注意すること。様々な種類のリファレンスシンボルのどれかが供給されるのであるが、第一リファレンスシンボルおよび第二リファレンスシンボルが復号化リファレンスシンボルに関連付けられていることが特定の実施例では意図されていることにさらに注意する。
【００９１】
別の態様ではネットワークエンティティ１４００は、プロセッサコンポーネント１４１０に連結されていてネットワークエンティティ１４００を外部のエンティティにインターフェースで接続するように構成されている通信コンポーネント１４５０を有している。例えば通信コンポーネント１４５０は、第一リファレンスシンボルに基づいて復号化することのできる生成されたシグナルを適切なリレーに送信するように構成される。特定の実施例では通信コンポーネント１４５０は、生成されたシグナルに関連付けられるデータトーンに電力の増強を適用する。そのような実施例では通信コンポーネント１４５０は、第一リファレンスシンボルおよび第二リファレンスシンボルを電力の増強から除外するようにさらに構成される。
【００９２】
さらなる態様では、制御チャネルおよび非制御チャネルの両者または一方によりリレーシグナルを伝達するように通信コンポーネント１４５０を構成することが意図されている。例えば、通信コンポーネント１４５０は生成されたシグナルをＲ−ＰＤＣＣＨに含めるように構成される。そのような実施例では、生成されたシグナルは異なるリレーにそれぞれ対応している複数個のシグナルに含まれていて、Ｒ−ＰＤＣＣＨが複数個のシグナルを含んでいる。別の態様では通信コンポーネント１４５０は、生成されたリレーシグナルをリレー物理ダウンリンク共用チャネル内に含めるように構成される。この特定の実施例では、異なるリレーにそれぞれ対応していてＲ−ＰＤＣＣＨに含まれている複数個のシグナルに生成されたシグナルが含まれている。
【００９３】
リレーユニット１１００に関して先に述べたようにリレーノードは第一リファレンスシンボルによるリレーシグナルの復号化に時々失敗することが考慮されている。この目的のために、リソースブロックの第一部分に生成されたシグナルを含めるように生成コンポーネント１４３０が構成される実施例が提供されている。ここで、第一部分の後で送信されるリソースブロックの第二部分でシグナルを繰り返すように生成コンポーネント１４３０がさらに構成される。そのような実施例ではリレーノードは、リソースブロックの第一部分による早期復号化の実行を試みる。早期復号化の試みが失敗した場合にはリソースブロックの第二部分によるリレーシグナルの復号化の試みが引き続いて行われる。
【００９４】
リレーシグナルを複数個のシグナルに含めることがさらに意図されている。例えば、複数台のリレーにそれぞれ対応している複数個のシグナルが単一のリソースブロックに含まれていることがある。ある態様では、図７に示されているように生成コンポーネント１４３０がリソースブロックの第一部分に複数個のシグナルを含めるように構成される。この場合、第一部分の後で送信されるリソースブロックの第二部分で複数個のシグナルを繰り返すように生成コンポーネント１４３０がさらに構成されている。別の態様では、図８に示されているように、生成コンポーネント１４３０はリソースブロックの第一部分にシグナルを片寄って配置するように構成される。複数個のシグナルの残りは第一部分の後で送信されるリソースブロックの第二部分に片寄って配置される。さらに別の態様では、図９に示されているように、生成コンポーネント１４３０はリソースブロックの第一部分にシグナルを含めるように構成される。この場合、異なるリレーに関連付けられている異なるシグナルは第一部分の後で送信されるリソースブロックの第二部分に含まれている。
【００９５】
ネットワークエンティティ１４００がアップリンクやダウンリンクの許可の伝達を促進させることにさらに注意する。例えばある態様では生成コンポーネント１４３０は、一式のアップリンク許可および一式のダウンリンク許可を含むリレーシグナルを生成するように構成される。そのような実施例では、生成コンポーネント１４３０はリソースブロックの第一部分に一式のダウンリンク許可を含むように構成されていて、一式のアップリンク許可は第一部分の後で送信されるリソースブロックの第二部分に含まれている。
【００９６】
さらなる態様では、制御チャネル専用のリソースブロックを介して非制御チャネルを受信するようにリレーノードを構成することが意図されている。この目的のために特定の実施例ではリレー物理ハイブリッド自動再送要求インジケータチャネルをＲ−ＰＤＣＣＨ専用のリソースブロック内に含めるように生成コンポーネント１４３０が構成される。そのような実施例では、リレー物理ハイブリッド自動再送要求インジケータチャネルに関連付けられているリソースを一式のアップリンク許可または一式のダウンリンク許可の少なくとも一方が含まれているサブフレームの一部分にマッピングするように生成コンポーネント１４３０は構成される。
【００９７】
次に参照する図１５では、ある実施例にしたがってリレーシグナルの早期復号化を促進させるシステム１５００が例示されている。システム１５００を実現する命令およびシステム１５００の両者または一方が例えばネットワークエンティティ（例えば、基地局１４００）またはコンピュータ可読記憶媒体の中に存在している。システム１５００は、プロセッサやソフトウェアや両者の組み合わせ（例えば、ファームウェア）により実行される機能を表す機能ブロックを有している。システム１５００は、システム１２００の論理グループ１２０２と同じように連携作動の可能な電気コンポーネントの論理グループ１５０２を有している。図示されているように論理グループ１５０２は、リレーに関連付けられているシグナルをサブフレーム内に生成する電気コンポーネント１５１０を有している。論理グループ１５０２は、第一リファレンスシンボルおよび第二リファレンスシンボルをサブフレームに供給する電気コンポーネント１５１２も有している。さらに論理グループ１５０２は、第一リファレンスシンボルに基づいて復号化することのできるシグナルをリレーに送信する電気コンポーネント１５１４を有している。その上にシステム１５００は、電気コンポーネント１５１０、１５１２、１５１４のいずれかに関連付けられている諸機能を実行するための諸命令を保持するメモリ１５２０を有している。電気コンポーネント１５１０、１５１２、１５１４はそれぞれがメモリ１５２０の中または外のどちらかに設けられている。
【００９８】
次に参照する図１６は、リレーシグナルの早期復号化を促進させる典型的な方法を示すフローチャートである。図示されているように、ネットワークの様々なコンポーネント（例えば、ネットワークエンティティ１４００）がこの明細書の態様にしたがって実行する一連の動作でプロセス１６００は構成されている。コンピュータ可読記憶媒体に格納されていて一連の動作を実行させるコンピュータ実行可能命令を実行する少なくとも一台のプロセッサを用いることによりプロセス１６００を実現することができる。別の実施例では、少なくとも一台のコンピュータにプロセス１６００の諸動作を実現させるコードを含んでいるコンピュータ可読記憶媒体が考えられている。
【００９９】
ある態様では、動作１６１０で複数のリレーノードとの通信が確立することでプロセス１６００が開始される。次に、早期復号化が望ましいのは複数のリレーノードのどれであるのかを動作１６２０で特定し、これに続いて適切な早期復号化アルゴリズムの選択が動作１６３０で行われる。ここに開示されている様々な早期復号化アルゴリズムが含まれるがこれらに限定されない様々な早期復号化アルゴリズムの任意のどれかがこの目的のために実行されることに注意する。
【０１００】
適切な早期復号化アルゴリズムが一度選択されるとプロセス１６００は動作１６４０に進んで選択された早期復号化アルゴリズムにしたがってリレーシグナルを生成する。動作１６５０では、生成されたシグナルにリファレンスシンボルが供給される。これには、様々なリファレンスシグナルのどれかを利用することが含まれる。例えば、既に述べたように、復調リファレンスシグナルを用いることができる。リファレンスシンボルがリレーシグナルに一度含められるとプロセス１６００は動作１６６０でリレーシグナルを適切なリレーノードに送信して終了する。
【０１０１】
典型的な通信システム
次に参照する図１７では、様々な態様にしたがって実現され、セルＩ  １７０２やセルＭ  １７０４のような複数のセルを有している典型的な通信システム１７００が例示されている。隣接セル１７０２、１７０４は、セル境界領域１７６８で示されているように僅かに重なり合っているので隣接セル内のそれぞれの基地局から送信されるシグナル相互でシグナル干渉が生じる可能性のあることにここで注意する。システム１７００のセル１７０２、１７０４はどちらも三つのセクタを有している。複数のセクタに再分割されていないセル（Ｎ＝１）、セクタが二つのセル（Ｎ＝２）、セクタが三つより多いセル（Ｎ＞３）も様々な態様にしたがって可能である。セル１７０２は第一セクタであるセクタＩ  １７１０、第二セクタであるセクタＩＩ  １７１２、第三セクタであるセクタＩＩＩ  １７１４を有している。セクタ１７１０、１７１２、１７１４はいずれもセクタ境界領域を二つ有していて、どの境界領域も二つの隣接セクタで共有されている。
【０１０２】
セクタ境界領域では隣接セクタ内のそれぞれの基地局が送信するシグナル相互間でシグナル干渉の生じる可能性がある。線１７１６は、セクタＩ  １７１０とセクタＩＩ  １７１２との間のセクタ境界領域を表している。線１７１８は、セクタＩＩ  １７１２とセクタＩＩＩ  １７１４との間のセクタ境界領域を表している。線１７２０は、セクタＩＩＩ  １７１４とセクタＩ  １７１０との間のセクタ境界領域を表している。同様に、セルＭ  １７０４は第一セクタであるセクタＩ  １７２２、第二セクタであるセクタＩＩ  １７２４、第三セクタであるセクタＩＩＩ  １７２６を有している。線１７２８は、セクタＩ  １７２２とセクタＩＩ  １７２４との間のセクタ境界領域を表している。線１７３０は、セクタＩＩ  １７２４とセクタＩＩＩ  １７２６との間のセクタ境界領域を表している。線１７３２は、セクタＩＩＩ  １７２６とセクタＩ  １７２２との間のセクタ境界領域を表している。セルＩ  １７０２は、基地局（ＢＳ：base station）である基地局Ｉ  １７０６を有している他に、セクタ１７１０、１７１２、１７１４のそれぞれに複数個のエンドノード（ＥＮｓ：end nodes）を有している。セクタＩ  １７１０は、無線リンク１７４０、１７４２のそれぞれを介してＢＳ  １７０６に連結されているＥＮ（１）１７３６およびＥＮ（Ｘ）１７３８を有している。セクタＩＩ  １７１２は、無線リンク１７４８、１７５０のそれぞれを介してＢＳ  １７０６に連結されているＥＮ（１’）１７４４およびＥＮ（Ｘ’）１７４６を有している。セクタＩＩＩ  １７１４は、無線リンク１７５６、１７５８のそれぞれを介してＢＳ  １７０６に連結されているＥＮ（１’’）１７５２およびＥＮ（Ｘ’’）１７５４を有している。同様にセルＭ  １７０４は基地局Ｍ  １７０８を有している他に、セクタ１７２２、１７２４、１７２６のそれぞれに複数個のエンドノード（ＥＮｓ）を有している。セクタＩ  １７２２は、無線リンク１７４０’、１７４２’のそれぞれを介してＢＳ  Ｍ  １７０８に連結されているＥＮ（１）１７３６’およびＥＮ（Ｘ）１７３８’を有している。セクタＩＩ  １７２４は、無線リンク１７４８’、１７５０’のそれぞれを介してＢＳ  Ｍ  １７０８に連結されているＥＮ（１’）１７４４’およびＥＮ（Ｘ’）１７４６’を有している。セクタ３  １７２６は、無線リンク１７５６’、１７５８’のそれぞれを介してＢＳ  Ｍ  １７０８に連結されているＥＮ（１’’）１７５２’およびＥＮ（Ｘ’’）１７５４’を有している。
【０１０３】
システム１７００は、ネットワークリンク１７６２、１７６４のそれぞれを介してＢＳ  Ｉ  １７０６およびＢＳ  Ｍ  １７０８に連結されているネットワークノード１７６０も有している。ネットワークノード１７６０は、例えば、別の基地局、ＡＡＡサーバノード（AAA server nodes）、中間ノード（intermediate nodes）、ルータ、その他などの別のネットワークノードおよびインターネットにもネットワークリンク１７６６を介して連結されている。ネットワークリンク１７６２、１７６４、１７６６は例えば光ファイバーケーブルである。一つひとつのエンドノード、例えば、ＥＮ１  １７３６は、送信機と受信機とを有している無線端末である。無線端末、例えば、ＥＮ（１）１７３６は、システム１７００内を移動し、自らが在圏しているセル内の基地局と無線リンクを介して通信する。例えば、ＥＮ（１）１７３６のような無線端末（ＷＴｓ：wireless terminals）は、例えば、ＢＳ  １７０６のような基地局およびネットワークノード１７６０の両者または一方を介してピアノード（peer nodes）、例えば、システム１７００内やシステム１７００外の他のＷＴｓと通信をする。ＷＴｓ、例えば、ＥＮ（１）１７３６は、小型携帯移動電話機、無線モデム付携帯情報端末（personal data assistants with wireless modems）、その他の移動通信装置である。個々の基地局は、ストリップシンボル期間（strip-symbol periods）にトーン部分集合割り当て（tone subset allocation）を実施するが、その際には残りのシンボル期間、例えば、非ストリップシンボル期間（non strip-symbol periods）にトーンの割り当てやトーンホッピングの決定をする方法とは異なる方法を採用している。無線端末は、基地局から受信した情報、例えば、基地局勾配ＩＤ（base station slope ID）、セクタＩＤ情報と一緒にトーン部分集合割り当て方法を使用して特定のストリップシンボル期間におけるデータや情報の受信に用いるトーンを決定する。セクタ間およびセル間の干渉をそれぞれのトーンに広げるために様々な態様にしたがってトーン部分集合割り当てシーケンスが構成される。件のシステムはセルラーモード（cellular mode）の文脈で主に記載されているが、個々に記載した諸々の態様にしたがって複数のモードを利用したり採用したりすることができることは明らかである。
【０１０４】
典型的な基地局
図１８は、さまざまな態様にしたがっている典型的な基地局１８００を例示している。基地局１８００はトーン部分集合割り当てシーケンスを実装している。セルの異なるセクタタイプ毎に異なるトーン部分集合割り当てシーケンスが生成される。基地局１８００は、図１７のシステム１７００の基地局１７０６、１７０８のどれか一つとして用いられる。基地局１８００は、受信機１８０２、送信機１８０４、ＣＰＵのようなプロセッサ１８０６、入出力インターフェース１８０８、メモリ１８１０を有している。様々な要素１８０２、１８０４、１８０６、１８０８、１８１０はバス１８０９により互いに連結されていてデータや情報をお互いに遣り取りしている。
【０１０５】
受信機１８０２に連結されていてセクタ化されているアンテナ１８０３を使用して基地局のセル内の各セクタからの無線端末伝送からデータやその他のシグナル、例えば、チャネルリポートを受信する。送信機１８０４に連結されていてセクタ化されているアンテナ１８０５を用いてデータやその他のシグナル、例えば、制御シグナル、パイロットシグナル、ビーコンシグナル、その他を基地局のセルの各セクタ内の無線端末１９００（図１９参照）に送信する。様々な態様では、基地局１８００は複数台の受信機１８０２と複数台の送信機１８０４とを採用している。例えば、受信機１８０２は一台一台が一つひとつのセクタに設けられていて、送信機１８０４も一台一台が一つひとつのセクタに設けられている。プロセッサ１８０６は、例えば、汎用の中央処理装置（ＣＰＵ：central processing unit）である。プロセッサ１８０６は、メモリ１８１０に格納されている１個以上のルーチン１８１８の指示の下で基地局１８００の作動を制御してここに述べている様々な方法を実現する。入出力インターフェース１８０８は、別のネットワークノードへの接続を提供している。すなわち、ＢＳ  １８００を別の基地局、アクセスルータ（access routers）、ＡＡＡサーバノード、その他、別のネットワーク、インターネットに接続する。メモリ１８１０はルーチン１８１８およびデータや情報１８２０を有している。
【０１０６】
データまたは情報１８２０には、データ１８３６、トーン部分集合割り当てシーケンス情報１８３８、無線端末（ＷＴ：wireless terminal）データまたは情報１８４４が含まれていて、トーン部分集合割り当てシーケンス情報にはダウンリンクストリップシンボルタイム情報１８４０およびダウンリンクトーン情報１８４２が、無線端末データまたは情報には複数組みのＷＴ情報であるＷＴ  １情報１８４６およびＷＴ  Ｎ情報１８６０がそれぞれ含まれている。各組のＷＴ情報、例えば、ＷＴ  １情報１８４６は、データ１８４８、端末ＩＤ  １８５０、セクタＩＤ  １８５２、アップリンクチャネル情報１８５４、ダウンリンクチャネル情報１８５６、モード情報１８５８で構成される。
【０１０７】
ルーチン１８１８は、通信ルーチン１８２２と基地局制御ルーチン１８２４とで構成されている。基地局制御ルーチン１８２４はスケジューラモジュール１８２６とシグナリングルーチン１８２８とで構成されている。シグナリングルーチンは、ストリップシンボル期間用のトーン部分集合割り当てルーチン１８３０、残りのシンボル期間、例えば、非ストリップシンボル期間用の別のダウンリンクトーン割り当てホッピングルーチン１８３２、ビーコンルーチン１８３４で構成される。
【０１０８】
データ１８３６には、ＷＴｓへの送信前に符号化するために送信機１８０４の符号器１８１４に送られる送信データや受信機１８０２の復号器１８１２で受信後に処理されるＷＴｓからの受信データが含まれる。ダウンリンクストリップシンボルタイム情報１８４０には、スーパースロット（superslot）やビーコンスロット（beaconslot）やウルトラスロット（ultrslot）の構造情報のようなフレーム同期構造情報が含まれる他に、与えられているシンボル期間がストリップシンボル期間であるのかどうかを特定し、もしそうであるならば、ストリップシンボル期間のインデックスを特定し、ストリップシンボルが基地局により使用されるトーン部分集合割り当てシーケンスを切り捨てるための再設定ポイントであるのかどうかを特定するための情報が含まれる。ダウンリンクトーン情報１８４２は、基地局１８００に割り当てられているキャリア周波数やトーンの数と周波数やストリップシンボル期間に割り当てられる一式のトーン部分集合を含む情報と、勾配や勾配インデックスやセクタタイプなどのような別のセルやセクタに固有の値とで構成されている。
【０１０９】
データ１８４８には、ＷＴ１  １９００がピアノードから受信するデータ、ＷＴ１  １９００がピアノードに送信することを望んでいるデータ、ダウンリンクチャネル品質報告フィードバック情報が含まれている。端末ＩＤ  １８５０は、ＷＴ１  １９００を識別する基地局１８００割り当てＩＤである。セクタＩＤ  １８５２には、ＷＴ１  １９００が作動しているセクタを識別する情報が含まれている。セクタＩＤ  １８５２は、例えば、セクタタイプの判定にこれを使用することができる。アップリンクチャネル情報１８５４には、例えば、データ用アップリンクチャネルセグメントや要求、電力制御、タイミング制御、その他のための専用アップリンク制御チャネルを使用するためにスケジューラ１８２６によりＷＴ１  １９００に割り当てられているチャネルセグメントを識別する情報が含まれている。ＷＴ１  １９００に割り当てられている各アップリンクチャネルにはアップリンクシーケンスに続く論理トーン（logical tones）が１個以上含まれている。ダウンリンクチャネル情報１８５６には、データおよび情報の両者または一方をＷＴ１  １９００に搬送するためにスケジューラ１８２６により割り当てられているチャネルセグメント、例えば、ユーザデータ用ダウンリンクトラフィックチャネルセグメントを識別する情報が含まれている。ＷＴ１  １９００に割り当てられている各ダウンリンクチャネルには、ダウンリンクホッピングシーケンスに続く論理トーンが１個以上含まれている。ダウンリンクチャネル情報１８５６には、データおよび情報の両者または一方をＷＴ１  １９００に搬送するためにスケジューラ１８２６により割り当てられているチャネルセグメント、例えば、ユーザデータ用ダウンリンクトラフィックチャネルセグメントを識別する情報が含まれている。ＷＴ１  １９００に割り当てられている各ダウンリンクチャネルにはダウンリンクホッピングシーケンスに続く論理トーン（logical tones）が１個以上含まれている。モード情報１８５８には、ＷＴ１  １９００の作動状態、例えば、スリープ（sleep）、ホールド（hold）、オン（on）のいずれであるのかを識別する情報が含まれている。
【０１１０】
通信ルーチン１８２２は、様々な通信動作や様々な通信プロトコルを実行するように基地局１８００を制御する。基地局制御ルーチン１８２４は、基本的な基地局機能タスクの実行、例えば、シグナルの生成および受信やスケジューリングの実行ならびにトーン部分集合割り当てシーケンスを用いてストリップシンボル期間中にシグナルを無線端末に送信することを含む幾つかの態様に基づく方法の諸工程の実行をするように基地局１８００を制御するために用いられる。
【０１１１】
シグナリングルーチン１８２８は、受信機１８０２の作動を復号器１８１２と一緒に制御し、送信機１８０４の作動を符号器１８１４と一緒に制御する。シグナリングルーチン１８２８は、送信されるデータ１８３６や制御情報の生成に関する任を負っている。トーン部分集合割り当てルーチン１８３０は、ダウンリンクストリップシンボル時間情報１８４０やセクタＩＤ  １８５２を含むデータまたは情報１８２０を用いたり前記態様の方法を用いたりしてストリップシンボル期間に用いられるトーン部分集合を構成する。ダウンリンクトーン部分集合割り当てシーケンスはセル内のセクタタイプ毎に異なっているだけでなく隣接セル同士でも異なっている。ＷＴｓ  １９００は、ダウンリンクトーン部分集合割り当てシーケンスにしたがってストリップシンボル期間にシグナルを受信する。基地局１８００は、送信シグナルを生成するために同じダウンリンクトーン部分集合割り当てシーケンスを用いる。別のダウンリンクトーン割り当てホッピングルーチン１８３２が、ダウンリンクトーン情報１８４２やダウンリンクチャネル情報１８５６を含む情報を用いてダウンリンクトーンホッピングシーケンスをストリップシンボル期間以外のシンボル期間のために構成する。ダウンリンクデータトーンホッピングシーケンスはセルの諸セクタに亘って同期している。ビーコンルーチン１８３４はビーコンシグナルの送信を制御する。例えば、ダウンリンクシグナルのフレームタイミング構造、したがってトーン部分集合割り当てシーケンスをウルトラスロット境界に対して同期させる同期の目的で用いられる１個または少数個のトーンに集中する比較的高出力のシグナルの送信を制御する。
【０１１２】
典型的な無線端末
図１９は、図１７に示されているシステム１７００の無線端末（エンドノード）の任意の一つ、例えば、ＥＮ（１）１７３６として用いることのできる無線端末（エンドノード）１９００の例を示している。無線端末１９００はトーン部分集合割り当てシーケンスを実行する。無線端末１９００は、復号器１９１２を有している受信機１９０２、符号器１９１４を有している送信機１９０４、プロセッサ１９０６、メモリ１９０８を具備している。様々な要素１９０２、１９０４、１９０６、１９０８はデータや情報を相互に遣り取りすることができるようにバス１９１０で互いに接続される。基地局（および異種の無線端末の両者または一方）からシグナルを受信するために用いられるアンテナ１９０３が受信機１９０２に接続される。シグナルを例えば基地局（および異種の無線端末の両者または一方）に送信するために用いられるアンテナ１９０５が送信機１９０４に接続される。
【０１１３】
プロセッサ１９０６、例えば、ＣＰＵがルーチン１９２０を実行したりメモリ１９０８の中のデータまたは情報１９２２を使用したりすることによって無線端末１９００の動作を制御したり方法を実現したりする。
【０１１４】
データまたは情報１９２２にはユーザデータ１９３４、ユーザ情報１９３６、トーン部分集合割り当てシーケンス情報１９５０が含まれる。ユーザデータ１９３４には、送信機１９０４により基地局に送信される前に符号器１９１４に転送されて符号化されるピアノード向けのデータや基地局から受信して受信機１９０２の復号器１９１２で処理されるデータが含まれる。ユーザ情報１９３６には、アップリンクチャネル情報１９３８、ダウンリンクチャネル情報１９４０、端末ＩＤ情報１９４２、基地局ＩＤ情報１９４４、セクタＩＤ情報１９４６、モード情報１９４８が含まれる。アップリンクチャネル情報１９３８には、基地局に送信する際に使用するように基地局により無線端末１９００に割り当てられているアップリンクチャネルセグメントを識別する情報が含まれる。アップリンクチャネルには、アップリンクトラフィックチャネル、専用アップリンク制御チャネル、例えば、要求チャネル、電力制御チャネル、タイミング制御チャネルが含まれる。各アップリンクチャネルには、アップリンクトーンホッピングシーケンスに続く論理トーンが１個以上含まれている。アップリンクホッピングシーケンスはセルのセクタ相互間および隣接セル相互間で異なっている。ダウンリンクチャネル情報１９４０には、基地局がデータまたは情報をＷＴ１９００に送信する際に用いるために基地局によりＷＴ１９００に割り当てられているダウンリンクチャネルセグメントを識別する情報が含まれている。ダウンリンクチャネルにはダウンリンクトラフィックチャネルや割り当てチャネルが含まれていて、どのダウンリンクチャネルにもセルのセクタ相互間で同期していてダウンリンクホッピングシーケンスに続く論理トーンが１個以上含まれている。
【０１１５】
ユーザ情報１９３６には、基地局により割り当てられた身分証明（base station-assigned identification）である端末ＩＤ情報１９４２、ＷＴとの通信を確立している特定の基地局を識別するための基地局ＩＤ情報１９４４、ＷＴ１９００が現在位置しているセルの特定のセクタを識別するセクタＩＤ情報１９４６も含まれている。基地局ＩＤ  １９４４はセル勾配値を供給し、セクタＩＤ情報１９４６はセクタインデックスタイプを供給する。セル勾配値（cell slope value）およびセクタインデックスタイプはトーンホッピングシーケンスを導き出すために用いることができる。ユーザ情報１９３６に含まれているモード情報１９４８でＷＴ１９００がスリープモード、ホールドモード、オンモードのいずれであるのかが判定される。
【０１１６】
トーン部分集合割り当てシーケンス情報１９５０にはダウンリンクストリップシンボル時間情報１９５２およびダウンリンクトーン情報１９５４が含まれている。ダウンリンクストリップシンボル時間情報１９５２には、スーパースロット、ビーコンスロット、ウルトラスロットの構造情報のようなフレーム同期構造情報や所与のシンボル期間がストリップシンボル期間であるのかどうかを特定し、そうである場合にはストリップシンボル期間のインデックスを特定する情報あるいはストリップシンボルが基地局により使用されるトーン部分集合割り当てシーケンスを切り捨てる再設定ポイントであるのかどうかを特定する情報が含まれている。ダウンリンクトーン情報１９５４には、基地局に割り当てられている搬送周波数、トーンの数や周波数、ストリップシンボル期間に割り当てられる一式のトーン部分集合、勾配や勾配インデックスやセクタタイプのような別のセルやセクタに固有の値を含む情報が含まれている。
【０１１７】
ルーチン１９２０には通信ルーチン１９２４および無線端末制御ルーチン１９２６が含まれている。通信ルーチン１９２４は、ＷＴ１９００が用いる様々な通信プロトコルを制御する。無線端末制御ルーチン１９２６は、受信機１９０２や送信機１９０４の制御を含む無線端末１９００の基本機能を制御する。無線端末制御ルーチン１９２６にはシグナリングルーチン１９２８が含まれている。シグナリングルーチン１９２８には、ストリップシンボル期間のためのトーン部分集合割り当てルーチン１９３０および残りのシンボル期間、例えば、非ストリップシンボル期間のための別のダウンリンクトーン割り当てホッピングルーチン１９３２が含まれている。トーン部分集合割り当てルーチン１９３０は、ダウンリンクチャネル情報１９４０、基地局ＩＤ情報１９４４、例えば、勾配インデックスやセクタタイプ、ダウンリンクトーン情報１９５４を含むユーザのデータまたは情報１９２２を用いてダウンリンクトーン部分集合割り当てシーケンスを幾つかの態様にしたがって生成し、基地局から送信された受信データを処理する。別のダウンリンクトーン割り当てホッピングルーチン１９３０は、ダウンリンクトーン情報１９５４やダウンリンクチャネル情報１９４０を含む情報を用いてダウンリンクトーンホッピングシーケンスをストリップシンボル期間以外のシンボル期間のために構成する。トーン部分集合ルーチン１９３０は、プロセッサ１９０６により実行されると、何時どのトーンで無線端末１９００が基地局１８００から１個以上のストリップシンボルシグナルを受信するのかを判定するのに用いられる。アップリンクトーン割り当てホッピングルーチン１９３０は基地局から受信した情報と一緒にトーン部分集合割り当て機能を用いて送信に使用するトーンを判定する。
【０１１８】
一種類以上の典型的な実施例ではここに記載した諸機能は、ハードウェア、ソフトウェア、ファームウェア、それらの任意の組み合わせとして実現することができる。ソフトウェアとして実現した場合に諸機能は一種類以上の命令やコードとしてコンピュータ可読媒体に記憶されたりコンピュータ可読媒体により転送されたりする。コンピュータ可読媒体にはコンピュータ記憶媒体が含まれるだけでなく、コンピュータプログラムを一方の場所から他方の場所へ転送することを容易にする任意の媒体を含む通信媒体も含まれる。記憶媒体は、コンピュータがアクセスすることのできる任意の利用可能な媒体で構わない。そのようなコンピュータ可読媒体には限定ではなく例として次のものが含まれる。すなわち、ＲＡＭ、ＲＯＭ、ＥＥＰＲＯＭ、ＣＤ−ＲＯＭなどの光学ディスク記憶装置、磁気ディスク記憶装置などの磁気記憶装置、所望のプログラムコードを命令やデータ構造の形式で保持したり格納したりするために用いることができてコンピュータによりアクセスすることのできる任意の他の媒体がコンピュータ可読媒体に含まれる。また、どのような接続もコンピュータ可読媒体と言うことができる。例えば、同軸ケーブルあるいは光ファイバーケーブルあるいは撚線対あるいはデジタル加入者回線（ＤＳＬ）あるいは赤外線、無線、マイクロ波のような無線技術を用いてウェブサイト、サーバ、他の遠隔リソースからソフトウェアが送信される場合には、同軸ケーブルあるいは光ファイバーケーブルあるいは撚線対あるいはデジタル加入者回線（ＤＳＬ）あるいは赤外線、無線、マイクロ波のような無線技術が媒体の定義に含まれる。ここで使用している用語ディスクには綴りが「disk」と「disc」の二種類があるが、コンパクトディスク（ＣＤ：compact disc）、レーザディスク（laser disc）、光学ディスク（optical disc）、デジタル多用途ディスク（ＤＶＤ：digital versatile disc）、フロッピー（登録商標）ディスク（floppy（登録商標） disk）、ブルーレイ（登録商標）ディスク（Blu-ray（登録商標） disc）が含まれる。ここで、「disk」と綴られるディスクは通常はデータを磁気的に再生し、「disc」と綴られるディスクは通常はデータをレーザで光学的に再生する。以上に述べたものの組み合わせもコンピュータ可読媒体の範囲に含まれる。
【０１１９】
諸実施例がプログラムコードやコードセグメントとして実現された場合にはコードセグメントは、手順、機能、サブプログラム、プログラム、ルーチン、サブルーチン、モジュール、ソフトウェアパッケージ、クラスのいずれかを表したり、命令、データ構造、プログラムステートメントのいずれかの任意の組み合わせを表したりする。情報、データ、引き数（argument）、パラメータ、メモリ内容のいずれかを受けたり渡したりすることによってコードセグメントを別のコードセグメントやハードウェア回路に結び付けることができる。記憶空間の共有（memory sharing）、メッセージの受け渡し(message passing)、トークンパッシング（token passing）、ネットワーク伝送（network transmission）、その他を含む任意の適切な手段を用いて情報、引き数、パラメータ、データ、その他を渡したり、転送したり、送信したりすることができる。その上に、ある態様では、アルゴリズムや方法の諸工程および諸動作の両者または一方をコンピュータプログラム製品に含めることのできる機械可読媒体およびコンピュータ可読媒体の両者または一方に諸コードおよび諸命令の両者または一方の一つまたは任意の組合せまたは一式として格納することができる。
【０１２０】
ソフトウェアの実現に関しては、ここに述べた諸機能を実行するモジュール（例えば、手順、機能、その他）でここに述べた技術を実現することができる。ソフトウェアコードは、メモリユニットにこれを格納してプロセッサでこれを実行することができる。メモリユニットは、プロセッサの内部と外部の両方または一方に実装することができる。メモリユニットをプロセッサの外部に接続した場合にはこの技術分野では公知の種々様々な手段でプロセッサと交信可能に連結することができる。
【０１２１】
ハードウェアの実現に関しては、特定用途向け集積回路（ＡＳＩＣｓ：application specific integrated circuits）、デジタル信号プロセッサ（ＤＳＰｓ：digital signal processors）、デジタル信号処理装置（ＤＳＰＤｓ：digital signal processing devices）、書替え可能論理装置（ＰＬＤｓ：programmable logic devices）、書替え可能ゲートアレイ（ＦＰＧＡ：field programmable gate array）、プロセッサ、コントローラ、マイクロコントローラ、マイクロプロセッサ、ここに記載した諸機能を実行するように設計されているその他の電子ユニット、またはそれらの任意の組み合わせで処理ユニットを実現することができる。
【０１２２】
これまでの記載には一種類以上の実施例の実例が含まれている。前述の諸実施例を説明する目的で諸コンポーネントや諸方法の考えられるだけのありとあらゆる組合せを記載することは云うまでもなく不可能であるが、この技術分野で通常の知識を有する者であれば様々な実施例に関してさらに多くの組み合わせや並べ替えが可能であることを認識することができる。したがって、添付した特許請求の範囲に入るそのような諸変更、諸修正、諸変種がここに説明した諸実施例に全て含まれることが意図されている。さらに、発明の詳細な説明や特許請求の範囲に用語「『含む』または『含まれる』（includes）」が用いられている限り、用語「から成る（comprising）」が請求項の移行句表現として用いられている場合に解釈されているように用語「から成る（comprising）」と同様に用語「含む」や「含まれる」は包含が意図されている。
【０１２３】
ここで使用しているように用語「推論する（infer）」や「推論（inference）」はイベントおよびデータの両者または一方を介して収集される一組の観測からシステムや環境やユーザの状態を類推したり推論したりする処理を一般に指している。推論を用いて、例えば、特定の文脈や動作を識別することもできるし諸々の状態に関する確率分布を生成することもできる。推論は確率的である。すなわち推論は、データやイベントを考慮して興味の対象である状態に関して確率分布を演算することである。推論は、一揃いのイベントおよびデータの両者または一方から高レベルのイベントを構成するために採用される技術を云うこともある。そのような推論は、イベント相互が時間的に近い関係にあろうがなかろうが、イベントやデータが１個以上のイベントやデータの源から得られるのであろうがなかろうが、観測した一揃いのイベントおよび記憶した一揃いのイベントデータの両者または一方から新しいイベントや動作を構成することに帰着する。
【０１２４】
さらに、本願に用いられている用語「コンポーネント（component）」、「モジュール（module）」、「システム（system）」、その他は、ハードウェア、ファームウェア、ハードウェアとファームウェアの組み合わせ、ソフトウェア、実行中のソフトウェアのいずれであろうとコンピュータ関連エンティティを指すことが意図されている。例えば、コンポーネントは、プロセッサが実行しているプロセス、プロセッサ、オブジェクト、実行ファイル、実行スレッド、プログラム、コンピュータの全てまたはいずれかで有り得るがこれらに限定される訳ではない。実例として、計算装置が実行しているアプリケーションと計算装置はどちらもコンポーネントである。１個以上のコンポーネントが実行中のプロセスおよびスレッドの両者または一方の中に存在することができ、あるコンポーネントが一台のコンピュータに局在していたり二台以上のコンピュータに分散されていたりすることができる。その上に、様々なデータ構造が格納されている様々なコンピュータ可読媒体からこれらのコンポーネントを実行することができる。コンポーネントは、１個以上のデータパケット（例えば、局所システムや分散システムの中のコンポーネントと相互作用をしているあるコンポーネントからのデータやインターネットのようなネットワークでシグナルにより別のシステムと相互作用をしているコンポーネントからのデータ）を有するシグナルにしたがうなどして局所プロセスおよび遠隔プロセスの両者または一方（local and/or remote processes）により通信をすることができる。
【図１】
2013520136.tif 000003
【図２】
2013520136.tif 000004
【図３】
2013520136.tif 000005
【図４】
2013520136.tif 000006
【図５】
2013520136.tif 000007
【図６】
2013520136.tif 000008
【図７】
2013520136.tif 000009
【図８】
2013520136.tif 000010
【図９】
2013520136.tif 000011
【図１０】
2013520136.tif 000012
【図１１】
2013520136.tif 000013
【図１２】
2013520136.tif 000014
【図１３】
2013520136.tif 000015
【図１４】
2013520136.tif 000016
【図１５】
2013520136.tif 000017
【図１６】
2013520136.tif 000018
【図１７】
2013520136.tif 000019
【図１８】
2013520136.tif 000020
【図１９】
2013520136.tif 000021
【国際調査報告】
2013520136.tif 000022
2013520136.tif 000023
2013520136.tif 000024
2013520136.tif 000025
2013520136.tif 000026
2013520136.tif 000027